(57)【要約】本発明の一実施形態は、キャリアアグリゲーションを実行するためのユーザ機器（ＵＥ）であって、プロセッサと；プロセッサと電子通信するメモリであって、メモリに格納された命令は、周波数分割複信（ＦＤＤ）および時分割複信（ＴＤＤ）キャリアアグリゲーションのための各サービングセルの二重化方法を決定すること、ただし、少なくとも一つのサービングセルはＴＤＤセルであり、少なくとも一つのサービングセルはＦＤＤセルであるものとする；サブフレームオフセットを決定すること；サービングセルの物理ダウンリンクシェアドチャネル（ＰＤＳＣＨ）ハイブリッド自動再送要求肯定応答／否定応答（ＨＡＲＱ‐ＡＣＫ）伝送タイミングを決定すること、ただし、プライマリセルがＴＤＤセルであるとき、サービングセルのＰＤＳＣＨ  ＨＡＲＱ‐ＡＣＫ伝送タイミングは、サービングセルのサブフレームオフセットを用いてダウンリンク（ＤＬ；ｄｏｗｎｌｉｎｋ）アソシエーションセットに基づいて決定されるものとする；および、ＰＤＳＣＨ  ＨＡＲＱ‐ＡＣＫ伝送タイミングに基づいてＰＤＳＣＨ  ＨＡＲＱ‐ＡＣＫ情報を送信することを行うために実行可能である、メモリとを含む、ユーザ機器（ＵＥ）を開示する。
2016532328.tif 000002
【特許請求の範囲】
【請求項１】
キャリアアグリゲーションを実行するためのユーザ機器（ＵＥ）であって、
プロセッサと；
前記プロセッサと電子通信するメモリであって、前記メモリに格納された命令は、
周波数分割複信（ＦＤＤ）および時分割複信（ＴＤＤ）キャリアアグリゲーションのための各サービングセルの二重化方法を決定すること、ただし、少なくとも一つのサービングセルはＴＤＤセルであり、少なくとも一つのサービングセルはＦＤＤセルであるものとする；
サブフレームオフセットを決定すること；
サービングセルの物理ダウンリンクシェアドチャネル（ＰＤＳＣＨ）ハイブリッド自動再送要求肯定応答／否定応答（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）（ＨＡＲＱ‐ＡＣＫ）伝送タイミングを決定すること、ただし、プライマリセルがＴＤＤセルであるとき、前記サービングセルの前記ＰＤＳＣＨ  ＨＡＲＱ‐ＡＣＫ伝送タイミングは、前記サービングセルの前記サブフレームオフセットを用いてダウンリンク（ＤＬ）アソシエーションセットに基づいて決定されるものとする；および
前記ＰＤＳＣＨ  ＨＡＲＱ‐ＡＣＫ伝送タイミングに基づいてＰＤＳＣＨ  ＨＡＲＱ‐ＡＣＫ情報を送信すること
を行うために実行可能である、メモリと
を含む、ユーザ機器（ＵＥ）。
【請求項２】
前記サブフレームオフセットは、ｅＮＢにより前記ＵＥにシグナリングされる、請求項１に記載のＵＥ。
【請求項３】
前記サブフレームオフセットは、前記ＵＥにより決定される、請求項１に記載のＵＥ。
【請求項４】
前記サブフレームオフセットは、異なるＵＥからの前記ＨＡＲＱ‐ＡＣＫ報告をＴＤＤ  ＰＣｅｌｌまたは報告セルの異なるアップリンク（ＵＬ）サブフレームに分散するために用いられる、請求項１に記載のＵＥ。
【請求項５】
前記サブフレームオフセットは、ＦＤＤセルの前記ＤＬサブフレームを異なるＵＥのために利用するために用いられる、請求項１に記載のＵＥ。
【請求項６】
前記サブフレームオフセットは、オフセットを有するＴＤＤ構成に基づいてＦＤＤ  ＳＣｅｌｌのＤＬ参照構成を導出するために用いられる、請求項１に記載のＵＥ。
【請求項７】
タイミング参照もオフセット値を用いて定義され、前記ＴＤＤおよびＦＤＤセルは無線フレームレベルで同期されない、請求項１に記載のＵＥ。
【請求項８】
前記オフセット値は、サブフレームインデックス同期のために前記ＳＣｅｌｌでシフトされるべきＴＴＩまたはサブフレームの数を示すために用いられる、請求項７に記載のＵＥ。
【請求項９】
前記ＴＤＤ構成および前記無線フレーム同期に関する前記オフセット値は、ｅＮＢにより一つのオフセットとして前記ＵＥにシグナリングされる、請求項７に記載のＵＥ。
【請求項１０】
前記ＴＤＤ構成および前記無線フレーム同期に関する前記オフセット値は、ｅＮＢにより二つの別々のパラメータとして前記ＵＥにシグナリングされる、請求項７に記載のＵＥ。
【請求項１１】
ユーザ機器（ＵＥ）によりキャリアアグリゲーションを実行する方法であって、
周波数分割複信（ＦＤＤ）および時分割複信（ＴＤＤ）キャリアアグリゲーションのための各サービングセルの二重化方法を決定するステップであって、少なくとも一つのサービングセルはＴＤＤセルであり、少なくとも一つのサービングセルはＦＤＤセルである、ステップと；
サブフレームオフセットを決定するステップと；
サービングセルの物理ダウンリンクシェアドチャネル（ＰＤＳＣＨ）ハイブリッド自動再送要求肯定応答／否定応答（ＨＡＲＱ‐ＡＣＫ）伝送タイミングを決定するステップであって、プライマリセルがＴＤＤセルであるとき、前記サービングセルの前記ＰＤＳＣＨ  ＨＡＲＱ‐ＡＣＫ伝送タイミングは、前記サービングセルの前記サブフレームオフセットを用いてダウンリンク（ＤＬ）アソシエーションセットに基づいて決定される、ステップと；
前記ＰＤＳＣＨ  ＨＡＲＱ‐ＡＣＫ伝送タイミングに基づいてＰＤＳＣＨ  ＨＡＲＱ‐ＡＣＫ情報を送信するステップと
を含む、方法。
【請求項１２】
前記サブフレームオフセットは、ｅＮＢにより前記ＵＥにシグナリングされる、請求項１１に記載の方法。
【請求項１３】
前記サブフレームオフセットは、前記ＵＥにより決定される、請求項１１に記載の方法。
【請求項１４】
前記サブフレームオフセットは、異なるＵＥからの前記ＨＡＲＱ‐ＡＣＫ報告をＴＤＤ  ＰＣｅｌｌまたは報告セルの異なるアップリンク（ＵＬ）サブフレームに分散するために用いられる、請求項１１に記載の方法。
【請求項１５】
前記サブフレームオフセットは、ＦＤＤセルの前記ＤＬサブフレームを異なるＵＥのために利用するために用いられる、請求項１１に記載の方法。
【請求項１６】
前記サブフレームオフセットは、オフセットを有するＴＤＤ構成に基づいてＦＤＤ  ＳＣｅｌｌのＤＬ参照構成を導出するために用いられる、請求項１１に記載の方法。
【請求項１７】
タイミング参照もオフセット値を用いて定義され、前記ＴＤＤおよびＦＤＤセルは無線フレームレベルで同期されない、請求項１１に記載の方法。
【請求項１８】
前記オフセット値は、サブフレームインデックス同期のために前記ＳＣｅｌｌでシフトされるべきＴＴＩまたはサブフレームの数を示すために用いられる、請求項１７に記載の方法。
【請求項１９】
前記ＴＤＤ構成および前記無線フレーム同期に関する前記オフセット値は、ｅＮＢにより一つのオフセットとして前記ＵＥにシグナリングされる、請求項１７に記載の方法。
【請求項２０】
前記ＴＤＤ構成および前記無線フレーム同期に関する前記オフセット値は、ｅＮＢにより二つの別々のパラメータとして前記ＵＥにシグナリングされる、請求項１７に記載の方法。
【発明の詳細な説明】
【技術分野】
【０００１】
本開示は、一般に通信システムに関する。特に、本開示は、キャリアアグリゲーションのためのシステムおよび方法に関する。
【背景技術】
【０００２】
ワイヤレス通信デバイスは、消費者のニーズを満たし、携帯性および利便性を高めるために、より小型で強力になっている。消費者はワイヤレス通信デバイスに依存するようになり、信頼できるサービス、カバレッジエリアの拡大および機能性の増大を期待するようになっている。ワイヤレス通信システムは、複数のワイヤレス通信デバイスに通信を提供でき、各ワイヤレス通信デバイスに基地局が対応する。基地局は、ワイヤレス通信デバイスと通信するデバイスである。
【発明の概要】
【発明が解決しようとする課題】
【０００３】
ワイヤレス通信デバイスが進歩するに伴い、通信能力、速度、柔軟性および／または効率の向上が求められている。しかし、通信能力、速度、柔軟性および／または効率の向上は、ある問題を提示する可能性がある。
【０００４】
例えば、ワイヤレス通信デバイスは、通信構造を使用して一つ以上のデバイスと通信する。しかし、使用される通信構造が限定的な柔軟性および／または効率しか提供しないこともある。本論で示すように、通信の柔軟性および／または効率を向上させるシステムおよび方法が有益であろう。
【課題を解決するための手段】
【０００５】
本発明の一実施形態は、キャリアアグリゲーションを実行するためのユーザ機器（ＵＥ；ｕｓｅｒ  ｅｑｕｉｐｍｅｎｔ）であって、プロセッサと；プロセッサと電子通信するメモリであって、メモリに格納された命令は、周波数分割複信（ＦＤＤ；ｆｒｅｑｕｅｎｃｙ‐ｄｉｖｉｓｉｏｎ  ｄｕｐｌｅｘｉｎｇ）および時分割複信（ＴＤＤ；ｔｉｍｅ‐ｄｉｖｉｓｉｏｎ  ｄｕｐｌｅｘｉｎｇ）キャリアアグリゲーションのための各サービングセルの二重化方法を決定すること、ただし、少なくとも一つのサービングセルはＴＤＤセルであり、少なくとも一つのサービングセルはＦＤＤセルであるものとする；サブフレームオフセットを決定すること；サービングセルの物理ダウンリンクシェアドチャネル（ＰＤＳＣＨ；ｐｈｙｓｉｃａｌ  ｄｏｗｎｌｉｎｋ  ｓｈａｒｅｄ  ｃｈａｎｎｅｌ）ハイブリッド自動再送要求肯定応答／否定応答（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）（ＨＡＲＱ‐ＡＣＫ）伝送タイミングを決定すること、ただし、プライマリセルがＴＤＤセルであるとき、サービングセルのＰＤＳＣＨ  ＨＡＲＱ‐ＡＣＫ伝送タイミングは、サービングセルのサブフレームオフセットを用いてダウンリンク（ＤＬ；ｄｏｗｎｌｉｎｋ）アソシエーションセットに基づいて決定されるものとする；および、ＰＤＳＣＨ  ＨＡＲＱ‐ＡＣＫ伝送タイミングに基づいてＰＤＳＣＨ  ＨＡＲＱ‐ＡＣＫ情報を送信することを行うために実行可能である、メモリとを含む、ユーザ機器（ＵＥ）を開示する。
【０００６】
本発明の別の実施形態は、ユーザ機器（ＵＥ）によりキャリアアグリゲーションを実行する方法であって、周波数分割複信（ＦＤＤ）および時分割複信（ＴＤＤ）キャリアアグリゲーションのための各サービングセルの二重化方法を決定するステップであって、少なくとも一つのサービングセルはＴＤＤセルであり、少なくとも一つのサービングセルはＦＤＤセルである、ステップと；サブフレームオフセットを決定するステップと；サービングセルの物理ダウンリンクシェアドチャネル（ＰＤＳＣＨ）ハイブリッド自動再送要求肯定応答／否定応答（ＨＡＲＱ‐ＡＣＫ）伝送タイミングを決定するステップであって、プライマリセルがＴＤＤセルであるとき、サービングセルのＰＤＳＣＨ  ＨＡＲＱ‐ＡＣＫ伝送タイミングは、サービングセルのサブフレームオフセットを用いてダウンリンク（ＤＬ）アソシエーションセットに基づいて決定される、ステップと；ＰＤＳＣＨ  ＨＡＲＱ‐ＡＣＫ伝送タイミングに基づいてＰＤＳＣＨ  ＨＡＲＱ‐ＡＣＫ情報を送信するステップとを含む、方法を開示する。
【図面の簡単な説明】
【０００７】
【図１】キャリアアグリゲーションためのシステムおよび方法が実装される一つ以上のイボルブドノードＢ（ｅＮＢ；ｅｖｏｌｖｅｄ  Ｎｏｄｅ  Ｂ）および一つ以上のユーザ機器（ＵＥ）の一実装を示したブロックダイヤグラムである。
【図２】ＵＥによりキャリアアグリゲーションを実行する方法の一実装を示したフローダイヤグラムである。
【図３】本明細書に開示されるシステムおよび方法にしたがって用いられる無線フレームの一例を示したダイヤグラムである。
【図４】本明細書に記載のシステムおよび方法によるいくつかの時分割複信（ＴＤＤ）アップリンク‐ダウンリンク（ＵＬ／ＤＬ）構成を示したダイヤグラムである。
【図５】ＦＤＤセルのアソシエーションタイミングを示した図である。
【図６】オフセット値を用いたまたは用いないＦＤＤセルに対するＴＤＤ構成の例を示した図である。
【図７】複数のＦＤＤ  ＳＣｅｌｌによるＴＤＤ‐ＦＤＤ  ＣＡにおけるオフセット使用の例を示した図である。
【図８】ＴＤＤ‐ＦＤＤ  ＣＡ  ＵＥでの異なるオフセット値の例を示した図である。
【図９】ＴＤＤ  ＰＣｅｌｌがＵＬ／ＤＬ構成１で構成された場合の、ＦＤＤ  ＳＣｅｌｌに対する考えられるＵＬ／ＤＬ構成およびオフセット値の例を示した図である。
【図１０】ＴＤＤ  ＵＬ／ＤＬ構成およびオフセットによるＦＤＤセルＤＬ参照構成の例を示した図である。
【図１１】ＦＤＤセルＤＬ参照構成の例を非標準のオーバーラップするＵＬパターンとともに示した図である。
【図１２】無線フレーム同期オフセットおよびＦＤＤセルに対するＴＤＤ構成オフセットの例を示した図である。
【図１３】ＴＤＤセルの無線フレーム同期オフセットの例を示した図である。
【図１４】ＵＥにおいて利用される様々な構成要素を示した図である。
【図１５】ｅＮＢにおいて利用される様々な構成要素を示した図である。
【図１６】キャリアアグリゲーションを実行するためのシステムおよび方法が実装されるＵＥの一構成を示したブロックダイヤグラムである。
【図１７】キャリアアグリゲーションを実行するためのシステムおよび方法が実装されるｅＮＢの一構成を示したブロックダイヤグラムである。
【発明を実施するための形態】
【０００８】
「３ＧＰＰ」とも呼称される第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムのグローバルに適用可能な技術仕様書および技術報告書を定めることを目指す協力合意である。３ＧＰＰは、次世代モバイルネットワーク、システムおよびデバイスのための仕様書を定める。
【０００９】
３ＧＰＰ  Ｌｏｎｇ  Ｔｅｒｍ  Ｅｖｏｌｕｔｉｏｎ（ＬＴＥ）は、ユニバーサル移動体通信システム（ＵＭＴＳ；Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）携帯電話またはデバイス規格を改善して将来的要求に対処するためのプロジェクトに与えられた名称である。一面ではＵＭＴＳは、イボルブドユニバーサル地上無線アクセス（Ｅ‐ＵＴＲＡ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびイボルブドユニバーサル地上無線アクセスネットワーク（Ｅ‐ＵＴＲＡＮ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のサポートおよび仕様を提供するように修正されている。
【００１０】
本明細書に開示されるシステムおよび方法の少なくとも一部の態様は、３ＧＰＰ  ＬＴＥ、ＬＴＥ‐Ａｄｖａｎｃｅｄ（ＬＴＥ‐Ａ）ならびに他の規格（例えば３ＧＰＰ  Ｒｅｌｅａｓｅ８、９、１０および／または１１）に関して記載される。しかし、本開示の範囲はこの点に関して制限されてはならない。本明細書に開示されるシステムおよび方法の少なくとも一部の態様は、他のタイプのワイヤレス通信システムにおいて利用されてもよい。
【００１１】
ワイヤレス通信デバイスは、音声および／またはデータを基地局に通信するために使用される電子デバイスであればよく、基地局がさらにデバイスのネットワーク（例えば公衆交換電話回線網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書のシステムおよび方法を説明する際には、ワイヤレス通信デバイスを、移動局、ＵＥ、アクセス端末、加入者局、移動端末、遠隔局、ユーザ端末、端末、加入者単位、移動デバイスなどと代替的に呼称することもできる。ワイヤレス通信デバイスの例には、携帯電話、スマートフォン、パーソナルデジタルアシスタント（ＰＤＡ）、ラップトップコンピュータ、ネットブック、ｅリーダ、ワイヤレスモデムなどが含まれる。３ＧＰＰ仕様書においては、ワイヤレス通信デバイスは典型的にＵＥと呼称される。しかし、本開示の範囲は３ＧＰＰ規格に限定されてはならないため、本明細書においては、「ＵＥ」および「ワイヤレス通信デバイス」という用語は、より一般的な「ワイヤレス通信デバイス」という用語を意味するものとして互換可能に使用される。
【００１２】
３ＧＰＰ仕様書においては、基地局は典型的にノードＢ、ｅＮＢまたは、ホームエンハンストまたはイボルブドノードＢ（ＨｅＮＢ：ｈｏｍｅ  ｅｎｈａｎｃｅｄ  ｏｒ  ｅｖｏｌｖｅｄ  Ｎｏｄｅ  Ｂ）または他の何らかの類似の用語で呼称される。本開示の範囲は３ＧＰＰ規格に限定されてはならないため、本明細書においては、「基地局」、「ノードＢ」、「ｅＮＢ」、および「ＨｅＮＢ」という用語は、より一般的な「基地局」という用語を意味するものとして互換可能に使用される。さらに、「基地局」という用語は、アクセスポイントを示すものとして使用される。アクセスポイントは、ワイヤレス通信デバイスにネットワーク（例えばローカルエリアネットワーク（ＬＡＮ：Ｌｏｃａｌ  Ａｒｅａ  Ｎｅｔｗｏｒｋ）、インターネットなど）へのアクセスを提供する電子デバイスであればよい。「通信デバイス」という用語は、ワイヤレス通信デバイスおよび／または基地局の両方を示すものとして使用される。
【００１３】
本明細書において使用されるところの「セル」は、ｅＮＢとＵＥとの間の通信のプロトコルがＩｎｔｅｒｎａｔｉｏｎａｌ  Ｍｏｂｉｌｅ  Ｔｅｌｅｃｏｍｍｕｎｉｃａｔｉｏｎｓ‐Ａｄｖａｎｃｅｄ（ＩＭＴ‐Ａｄｖａｎｃｅｄ）またはその拡張版に使用されるよう標準化により特定されまたは規制団体により管理される任意の通信チャネルのセットを指すことができ、その通信チャネルの全てまたはサブセットが、ｅＮＢとＵＥとの間の通信に使用される認可帯域（例えば周波数帯域）として３ＧＰＰにより採用されていればよいことに注意しなければならない。「構成されたセル」とは、ＵＥが認識しており、ｅＮＢによって情報を伝送または受信することを許されたセルである。「構成されたセル（単数または複数）」は、サービングセル（単数または複数）であってもよい。ＵＥは、システム情報を受信し、全ての構成されたセルに対して必要な測定を行う。「アクティブ化されたセル」とは、ＵＥが伝送および受信を行っている構成されたセルである。すなわち、アクティブ化されたセルは、ＵＥが物理ダウンリンク制御チャネル（ＰＤＣＣＨ；ｐｈｙｓｉｃａｌ  ｄｏｗｎｌｉｎｋ  ｃｏｎｔｒｏｌ  ｃｈａｎｎｅｌ）をモニタしうるセルであり、ダウンリンク伝送の場合には、ＵＥが物理ダウンリンクシェアドチャネル（ＰＤＳＣＨ：ｐｈｙｓｉｃａｌ  ｄｏｗｎｌｉｎｋ  ｓｈａｒｅｄ  ｃｈａｎｎｅｌ）を復号化するセルである。「非アクティブ化されたセル」とは、ＵＥが伝送ＰＤＣＣＨをモニタしていない、構成されたセルである。「セル」は、様々な次元に関して記載することができる点に注意しなければならない。例えば「セル」は、時間特性、空間特性（例えば地理的特性）および周波数特性を持つ。
【００１４】
本明細書に開示されるシステムおよび方法は、キャリアアグリゲーションを記載する。一部の実装では、本明細書に開示されるシステムおよび方法は、ハイブリッド二重化を用いたＬＴＥエンハンストキャリアアグリゲーション（ｅＣＡ；ｅｎｈａｎｃｅｄ  ｃａｒｒｉｅｒ  ａｇｇｒｅｇａｔｉｏｎ）を記載する。特に、本発明のシステムおよび方法は、時分割複信（ＴＤＤ）および周波数分割複信（ＦＤＤ）キャリアアグリゲーション（ＣＡ；ｃａｒｒｉｅｒ  ａｇｇｒｅｇａｔｉｏｎ）において使用されるダウンリンク（ＤＬ）アソシエーションセットおよびＰＤＳＣＨ  ＨＡＲＱ‐ＡＣＫ伝送タイミングを記載する。一つの場合には、プライマリセル（ＰＣｅｌｌ；ｐｒｉｍａｒｙ  ｃｅｌｌ）がアップリンク制御情報（ＵＣＩ；ｕｐｌｉｎｋ  ｃｏｎｔｒｏｌ  ｉｎｆｏｒｍａｔｉｏｎ）を報告する。別の場合には、セカンダリセル（ＳＣｅｌｌ；ｓｅｃｏｎｄａｒｙ  ｃｅｌｌ）がＵＣＩの報告セルとして構成される。
【００１５】
現在、ＦＤＤおよびＴＤＤという二つのＬＴＥ二重化システムが存在する。しかし、現在のアプローチの下では、ＣＡのためにＦＤＤおよびＴＤＤシステムを一緒に使用することはできない。例えば、周知のアプローチ（例えばＬＴＥ  Ｒｅｌｅａｓｅ‐１０（以下では「Ｒｅｌｅａｓｅ‐１０」）およびＬＴＥ  Ｒｅｌｅａｓｅ‐１１（以下では「Ｒｅｌｅａｓｅ‐１１」））の下では、複数のＦＤＤセル（例えばＦＤＤサービングセル）または複数のＴＤＤセル（例えばＴＤＤサービングセル）でのキャリアアグリゲーション（ＣＡ）が許されるが、両方のタイプのセルのハイブリッドでは許されない。
【００１６】
キャリアアグリゲーションとは、複数のキャリアの同時利用をいう。キャリアアグリゲーションにおいては、ＵＥに複数のセルを集約することができる。一例では、ＵＥに利用可能な有効帯域幅を増加させるためにキャリアアグリゲーションが用いられる。Ｒｅｌｅａｓｅ‐１０におけるＴＤＤ  ＣＡ、およびＲｅｌｅａｓｅ‐１１におけるバンド内ＣＡでは、同じＴＤＤアップリンク‐ダウンリンク（ＵＬ／ＤＬ）構成が使用されなければならない。Ｒｅｌｅａｓｅ‐１１では、異なるＴＤＤ  ＵＬ／ＤＬ構成のバンド間ＴＤＤ  ＣＡがサポートされる。異なるＴＤＤ  ＵＬ／ＤＬ構成のバンド間ＴＤＤ  ＣＡは、ＣＡの展開においてＴＤＤネットワークの柔軟性を提供する。さらに、エンハンスト干渉マネジメントおよびトラフィックアダプテーション（ｅＩＭＴＡ；ｅｎｈａｎｃｅｄ  ｉｎｔｅｒｆｅｒｅｎｃｅ  ｍａｎａｇｅｍｅｎｔ  ｗｉｔｈ  ｔｒａｆｆｉｃ  ａｄａｐｔａｔｉｏｎ）（動的ＵＬ／ＤＬ再構成とも呼称される）は、ネットワークトラフィック負荷に基づく柔軟なＴＤＤ  ＵＬ／ＤＬ再構成を可能にする。しかし、ハイブリッド二重化ネットワーク（例えばＦＤＤおよびＴＤＤセルの両方を含むネットワーク）におけるＣＡは、現在のアプローチのいずれにおいてもサポートされない。
【００１７】
本明細書において使用されるところの「同時」という用語およびその変化形は、二つ以上の事象が時間的にオーバーラップすること、および／または互いに近い時間に起こることを意味することに注意しなければならない。加えて、「同時」およびその変化形は、二つ以上の事象が正確に同じ時間に起こることを意味してもよいし、または意味しなくてもよい。
【００１８】
ＦＤＤセルは、スペクトルの隣接するサブセットが全てＵＬまたはＤＬに割り当てられるが両方には割り当てられないスペクトル（例えば無線通信周波数またはチャネル）を必要とする。したがって、ＦＤＤは対のキャリア周波数（例えばＤＬおよびＵＬキャリア周波数の対）を有する。しかし、ＴＤＤは対のチャネルを必要としない。代わりに、ＴＤＤは、ＵＬおよびＤＬリソースを同じキャリア周波数に割り当てうる。従って、ＴＤＤは、スペクトル使用に関してより高い柔軟性を提供する。無線ネットワークトラフィックの増加に伴い、また、スペクトルリソースが非常に貴重になるにしたがい、新たな割り当てられたスペクトルは断片化される傾向があり、より小さな帯域幅を有し、ＴＤＤおよび／またはスモールセルの展開により適する。さらにＴＤＤは、異なるＴＤＤ  ＵＬ／ＤＬ構成および動的ＵＬ／ＤＬ再構成を用いたトラフィックアダプテーションを通じた柔軟なチャネル使用を提供する。
【００１９】
ＤＬアソシエーションセットおよびＰＤＳＣＨ  ＨＡＲＱ‐ＡＣＫ報告は、ＴＤＤ‐ＦＤＤ  ＣＡにとって重要な問題である。これは、ＴＤＤセルがＰＣｅｌｌまたは報告セルとして使用され、ＦＤＤ  ＤＬサブフレームがＴＤＤ  ＵＬサブフレームに関連付けられる必要がある場合に特に当てはまる。ＦＤＤセルのＤＬ使用を最大化するために、割り当てが最大の固定ＴＤＤ  ＵＬ／ＤＬ構成（例えば１０ｍｓの周期性の構成５および５ｍｓの周期性の構成２）が、ＦＤＤセルのために構成されうる。しかし、この場合には、一部のＵＬサブフレームには多数のＨＡＲＱ‐ＡＣＫ報告がロードされる一方で、他のＵＬサブフレームは使用されない。さらに、所与のサブフレームにつきＤＬアソシエーションがないため、ＴＤＤ‐ＦＤＤ  ＣＡ  ＵＥのＰＤＳＣＨ伝送をスケジュールするためにＤＬサブフレームを使用することができない。
【００２０】
ＴＤＤ‐ＦＤＤ  ＣＡ  ＵＥのＨＡＲＱ‐ＡＣＫ報告をＵＬサブフレームに分散するための方法が開発されることが必要である。異なるＵＥにつき異なるＤＬサブフレームのＰＤＳＣＨを認めないことによってＤＬリソースを配分するための方法が開発されることも必要である。これらの方法を実装することにより、より強力なＨＡＲＱ‐ＡＣＫ動作の利益が提供される。
【００２１】
次に図面を参照して本明細書に開示されるシステムおよび方法の様々な例を説明するが、図面においては同様の参照番号によって機能的に類似の要素を指示する。本明細書の図面において一般的に説明および例証されるシステムおよび方法は、多種多様な実装において設定および設計することができる。したがって、図面に示される以下のいくつかの実装の詳細な説明は、請求される範囲を制限することを意図せず、本発明のシステムおよび方法の代表例にすぎない。
【００２２】
図１は、キャリアアグリゲーションためのシステムおよび方法が実装される、一つ以上のｅＮＢ１６０および一つ以上のＵＥ１０２の一実装を示したブロックダイヤグラムである。一つ以上のＵＥ１０２は、一つ以上のアンテナ１２２ａ〜ｎを使用して一つ以上のｅＮＢ１６０と通信する。例えば、ＵＥ１０２は、一つ以上のアンテナ１２２ａ〜ｎを使用して電磁信号をｅＮＢ１６０に伝送し、ｅＮＢ１６０から電磁信号を受け取る。ｅＮＢ１６０は、一つ以上のアンテナ１８０ａ〜ｎを使用してＵＥ１０２と通信する。
【００２３】
ＵＥ１０２およびｅＮＢ１６０は、互いに通信するために一つ以上のチャネル１１９、１２１を使用する。例えば、ＵＥ１０２は、一つ以上のアップリンクチャネル１２１を使用して情報またはデータをｅＮＢ１６０に伝送する。アップリンクチャネル１２１の例には、ＰＵＣＣＨおよびＰＵＳＣＨなどが含まれる。一つ以上のｅＮＢ１６０は、例えば一つ以上のダウンリンクチャネル１１９を使用して一つ以上のＵＥ１０２に情報またはデータを伝送することもできる。ダウンリンクチャネル１１９の例には、ＰＤＣＣＨ、ＰＤＳＣＨなどが含まれる。他の種類のチャネルが使用されてもよい。
【００２４】
一つ以上のＵＥ１０２の各々は、一つ以上のトランシーバ１１８、一つ以上の復調器１１４、一つ以上のデコーダ１０８、一つ以上のエンコーダ１５０、一つ以上の変調器１５４、データバッファ１０４およびＵＥ動作モジュール１２４を含む。例えば、ＵＥ１０２に一つ以上の受信および／または伝送路が実装される。複数の並列の要素（例えばトランシーバ１１８、デコーダ１０８、復調器１１４、エンコーダ１５０および変調器１５４）が実装されてもよいが、便宜的に、ＵＥ１０２には一つのトランシーバ１１８、デコーダ１０８、復調器１１４、エンコーダ１５０および変調器１５４だけが示されている。
【００２５】
トランシーバ１１８は、一つ以上の受信器１２０および一つ以上の伝送器１５８を含む。一つ以上の受信器１２０は、一つ以上のアンテナ１２２ａ〜ｎを使用してｅＮＢ１６０から信号を受信する。例えば受信器１２０は、信号を受け取り、ダウンコンバートして一つ以上の受信信号１１６を生産する。一つ以上の受信信号１１６は、復調器１１４に提供される。一つ以上の伝送器１５８は、一つ以上のアンテナ１２２ａ〜ｎを使用してｅＮＢ１６０に信号を伝送する。例えば一つ以上の伝送器１５８は、一つ以上の変調信号１５６をアップコンバートして伝送する。
【００２６】
復調器１１４は、一つ以上の受信信号１１６を復調して、一つ以上の復調信号１１２を生産する。一つ以上の復調信号１１２は、デコーダ１０８に提供される。ＵＥ１０２は、デコーダ１０８を使用して信号を復号する。デコーダ１０８は、一つ以上の復号信号１０６、１１０を生産する。例えば、第一ＵＥ復号信号１０６は、受信ペイロードデータを含み、データバッファ１０４に格納される。第二ＵＥ復号信号１１０は、オーバーヘッドデータおよび／または制御データを含む。例えば、第二ＵＥ復号信号１１０は、一つ以上の動作を実行するためにＵＥ動作モジュール１２４により使用されるデータを提供する。
【００２７】
本明細書で使用されるところの「モジュール」という用語は、特定の要素またはコンポーネントがハードウェア、ソフトウェア、またはハードウェアとソフトウェアとの組み合わせにおいて実装されることを意味する。しかし、本明細書において「モジュール」と表示されるいずれの要素も、ハードウェアにおいて実装されてもよい点に注意しなければならない。例えば、ＵＥ動作モジュール１２４は、ハードウェア、ソフトウェアまたは両方の組み合わせにおいて実装される。
【００２８】
一般に、ＵＥ動作モジュール１２４は、ＵＥ１０２が一つ以上のｅＮＢ１６０と通信することを可能にする。ＵＥ動作モジュール１２４は、ＵＥ二重化方法決定モジュール１２６、ＵＥ  ＰＤＳＣＨ  ＨＡＲＱ‐ＡＣＫ伝送タイミングモジュール１２８およびＵＥ  ＰＤＳＣＨ  ＨＡＲＱ‐ＡＣＫ情報モジュール１３０の一つ以上を含む。
【００２９】
ＵＥ二重化方法決定モジュール１２６は、ＦＤＤおよびＴＤＤキャリアアグリゲーションのための各サービングセルの二重化方法を決定する。ＵＥ１０２は、一つ以上のＦＤＤセルおよび一つ以上のＴＤＤセルでキャリアアグリゲーションが実行されるワイヤレス通信ネットワーク内にある。一実装では、ワイヤレス通信ネットワークは、ＬＴＥネットワークである。
【００３０】
ＵＥ１０２は、ＦＤＤまたはＴＤＤ二重化を使用してサービングセルによりｅＮＢ１６０と通信する。ＵＥ二重化方法決定モジュール１２６は、ＦＤＤおよびＴＤＤキャリアアグリゲーションにおいて使用される構成されたサービングセルの各々の二重化方法を決定する。換言すれば、ＵＥ二重化方法決定モジュール１２６は、サービングセルがＦＤＤセルであるかＴＤＤセルであるかを決定する。
【００３１】
ＵＥ  ＰＤＳＣＨ  ＨＡＲＱ‐ＡＣＫ伝送タイミングモジュール１２８は、サービングセルのＰＤＳＣＨ  ＨＡＲＱ‐ＡＣＫ伝送タイミングを決定する。ＴＤＤセルは、ＤＬアソシエーションセットおよびＰＤＳＣＨ  ＨＡＲＱ‐ＡＣＫタイミングに関して、そのＴＤＤセルのＤＬ参照ＵＬ／ＤＬ構成にしたがう。例えば、ＤＬ参照ＵＬ／ＤＬ構成に基づいてＤＬアソシエーションセットが決定される。そしてＤＬアソシエーションセットが、サービングセルのＰＤＳＣＨ  ＨＡＲＱ‐ＡＣＫタイミングを定義する。
【００３２】
しかし、ＦＤＤセルに関しては、七つ全てのＴＤＤ  ＵＬ／ＤＬ構成につきＦＤＤ  ＤＬアソシエーションセットが定義される。したがって、ＦＤＤおよびＴＤＤ  ＣＡが使用され、ＴＤＤセルがＰＤＳＣＨ  ＨＡＲＱ‐ＡＣＫフィードバックのためのＰＣｅｌｌまたはＰＵＣＣＨ報告セルであるときには、一つ以上のＦＤＤサービングセルは、ＰＣｅｌｌおよび／またはＰＵＣＣＨ報告セルのＤＬ参照ＵＬ／ＤＬ構成にしたがって決定されるＦＤＤ  ＤＬアソシエーションセットを使用する。
【００３３】
一つの場合には、プライマリセル（ＰＣｅｌｌ）のみでＰＵＣＣＨが伝送される。この場合、ＰＣｅｌｌはＦＤＤセルまたはＴＤＤセルである。一つのシナリオでは、ＦＤＤセルがＰＣｅｌｌである。このシナリオでは、全てのセル（ＦＤＤおよびＴＤＤセカンダリセル（ＳＣｅｌｌ）を含む）が、ＰＣｅｌｌのＦＤＤタイミングにしたがう。サブフレームｎ−４でのＰＤＳＣＨ伝送は、サブフレームｎで確認応答される。ＰＣｅｌｌのＰＵＣＣＨまたはＣｅｌｌ＿ＩＤが最も低いＰＵＳＣＨで全てのセルのＰＤＳＣＨ  ＨＡＲＱ‐ＡＣＫ情報が集約され、報告される。
【００３４】
別のシナリオでは、ＴＤＤセルがＰＣｅｌｌである。このシナリオでは、ＰＣｅｌｌのＰＵＣＣＨまたはＣｅｌｌ＿ＩＤが最も低いＰＵＳＣＨで全てのサービングセルのＰＤＳＣＨ  ＨＡＲＱ‐ＡＣＫ情報が集約され、報告される。集約されたセルのＤＬアソシエーションセットおよびＰＤＳＣＨ  ＨＡＲＱ‐ＡＣＫ伝送タイミングは、ＤＬ参照ＵＬ／ＤＬ構成にしたがう。一実装では、ＴＤＤ  ＰＣｅｌｌのＤＬ参照ＵＬ／ＤＬ構成は、ＰＣｅｌｌ  ＵＬ／ＤＬ構成（例えばＰＣｅｌｌのＴＤＤ  ＵＬ／ＤＬ構成）である。ＰＣｅｌｌのＤＬ参照ＵＬ／ＤＬ構成を用いて、ＰＣｅｌｌのＤＬアソシエーションセットが決定される。ＵＥ  ＰＤＳＣＨ  ＨＡＲＱ‐ＡＣＫ伝送タイミングモジュール１２８は、ＴＤＤ  ＰＣｅｌｌのＤＬアソシエーションセットに基づいて、ＴＤＤ  ＰＣｅｌｌのＰＤＳＣＨ  ＨＡＲＱ‐ＡＣＫ伝送タイミングを決定する。
【００３５】
別の実装では、ＴＤＤ  ＳＣｅｌｌのＤＬ参照ＵＬ／ＤＬ構成が、表（４）にしたがってＰＣｅｌｌ  ＵＬ／ＤＬ構成とＳＣｅｌｌ  ＵＬ／ＤＬ構成との組み合わせにより決定される。ＴＤＤ  ＳＣｅｌｌのＤＬ参照ＵＬ／ＤＬ構成を用いて、ＴＤＤ  ＳＣｅｌｌのＤＬアソシエーションセットが決定される。ＵＥ  ＰＤＳＣＨ  ＨＡＲＱ‐ＡＣＫ伝送タイミングモジュール１２８は、ＴＤＤ  ＳＣｅｌｌのＤＬアソシエーションセットに基づいて、ＴＤＤ  ＳＣｅｌｌのＰＤＳＣＨ  ＨＡＲＱ‐ＡＣＫ伝送タイミングを決定する。
【００３６】
さらに別の実装では、ＦＤＤ  ＳＣｅｌｌのＤＬアソシエーションセットが、ＵＥ  ＰＤＳＣＨ  ＨＡＲＱ‐ＡＣＫ伝送タイミングモジュール１２８により、プライマリセルのＤＬ参照ＵＬ／ＤＬ構成に基づいて決定される。ＦＤＤセルＤＬアソシエーションセットについての表により、プライマリセルのＤＬ参照ＵＬ／ＤＬ構成を表の入力として用いて、ＦＤＤ  ＳＣｅｌｌのＤＬアソシエーションセットが得られる。ＦＤＤセルのＤＬアソシエーションセットは、プライマリセルのＤＬ参照ＵＬ／ＤＬ構成のＴＤＤ  ＤＬアソシエーションセット（例えばＴＤＤセルＤＬアソシエーションセットまたはＴＤＤセルのＤＬアソシエーションセット）の上位セットである。さらに、ＦＤＤセルのＤＬアソシエーションセットは、ＤＬアソシエーションセットのサブフレームをより均一に分散するために最適化される。
【００３７】
別の場合には、構成されたＰＵＣＣＨ報告セルでＰＵＣＣＨが伝送される。この場合には、ＳＣｅｌｌでのＰＵＣＣＨ報告が構成される。ＦＤＤセルまたはＴＤＤセルが、ＰＵＣＣＨ報告セルとして構成される。
【００３８】
一つのシナリオでは、ＦＤＤセルがＰＵＣＣＨ報告セルとして構成される。このシナリオでは、全てのセル（ＦＤＤおよびＴＤＤセカンダリセル（ＳＣｅｌｌ）を含む）が、ＰＵＣＣＨ報告セルのＦＤＤタイミングにしたがう。サブフレームｎ−４でのＰＤＳＣＨ伝送は、サブフレームｎで確認応答される。
【００３９】
別のシナリオでは、ＴＤＤセルがＰＵＣＣＨ報告セルとして構成される。このシナリオでは、ＰＵＣＣＨ報告セルのＰＵＣＣＨまたはＣｅｌｌ＿ＩＤが最も低いＰＵＳＣＨで全てのサービングセルのＰＤＳＣＨ  ＨＡＲＱ‐ＡＣＫ情報が集約され、報告される。集約されたセルのＤＬアソシエーションセットおよびＰＤＳＣＨ  ＨＡＲＱ‐ＡＣＫ伝送タイミングは、ＤＬ参照ＵＬ／ＤＬ構成にしたがう。一実装では、ＰＵＣＣＨ報告セルのＤＬ参照ＵＬ／ＤＬ構成は、ＰＵＣＣＨ報告セルのＴＤＤ  ＵＬ／ＤＬ構成である。ＰＵＣＣＨ報告セルのＤＬ参照ＵＬ／ＤＬ構成を用いて、ＰＵＣＣＨ報告セルのＤＬアソシエーションセットが決定される。ＵＥ  ＰＤＳＣＨ  ＨＡＲＱ‐ＡＣＫ伝送タイミングモジュール１２８は、ＰＵＣＣＨ報告セルのＤＬアソシエーションセットに基づいて、ＰＤＳＣＨ  ＨＡＲＱ‐ＡＣＫ伝送タイミングを決定する。
【００４０】
別の実装では、図４に関して後述するように、ＴＤＤ  ＰＵＣＣＨ報告セルＵＬ／ＤＬ構成をＰＣｅｌｌ  ＵＬ／ＤＬ構成として用い、ＴＤＤセルＵＬ／ＤＬ構成をＳＣｅｌｌ  ＵＬ／ＤＬ構成として用いて、表（４）にしたがってＰＵＣＣＨ報告セルＵＬ／ＤＬ構成とＴＤＤセルＵＬ／ＤＬ構成との組み合わせにより、ＰＵＣＣＨ報告セル以外のＴＤＤセル（例えばＴＤＤ  ＰＣｅｌｌまたはＳＣｅｌｌ）のＤＬ参照ＵＬ／ＤＬ構成が決定される。ＴＤＤセルのＤＬ参照ＵＬ／ＤＬ構成が、ＴＤＤセルのＤＬアソシエーションセットのために使用される。ＵＥ  ＰＤＳＣＨ  ＨＡＲＱ‐ＡＣＫ伝送タイミングモジュール１２８は、ＴＤＤセルのＤＬアソシエーションセットに基づいて、ＴＤＤセルのＰＤＳＣＨ  ＨＡＲＱ‐ＡＣＫ伝送タイミングを決定する。
【００４１】
さらに別の実装では、ＦＤＤ  ＳＣｅｌｌのＤＬアソシエーションセットが、ＰＵＣＣＨ報告セルのＤＬ参照ＵＬ／ＤＬ構成に基づいて決定される。ＦＤＤセルＤＬアソシエーションセットについての表から、ＰＵＣＣＨ報告セルのＤＬ参照ＵＬ／ＤＬ構成を表の入力として用いて、ＦＤＤ  ＳＣｅｌｌのＤＬアソシエーションセットが得られる。ＦＤＤ  ＤＬアソシエーションセットは、ＰＵＣＣＨ報告セルのＤＬ参照ＵＬ／ＤＬ構成のＴＤＤ  ＤＬアソシエーションセットの上位セットである。さらに、ＤＬアソシエーションセットは、ＤＬアソシエーションセットのサブフレームをより均一に分散するために最適化される。
【００４２】
全ての場合において、ＴＤＤセルがトラフィックアダプテーションを用いた動的ＵＬ／ＤＬ再構成により構成される（例えばＴＤＤセルがｅＩＭＴＡセルである）場合には、ＣＡにおいて使用されるＤＬ参照ＵＬ／ＤＬ構成は、ｅＩＭＴＡセルのＤＬ参照ＵＬ／ＤＬ構成に基づきうることに注意しなければならない。したがって、ＵＥ  ＰＤＳＣＨ  ＨＡＲＱ‐ＡＣＫ伝送タイミングモジュール１２８がｅＩＭＴＡセルのＤＬ参照ＵＬ／ＤＬ構成を用いて、ＦＤＤおよびＴＤＤキャリアアグリゲーションの各サービングセルのＰＤＳＣＨ  ＨＡＲＱ‐ＡＣＫ伝送タイミングを決定することができる。
【００４３】
ＵＥ  ＰＤＳＣＨ  ＨＡＲＱ‐ＡＣＫ情報モジュール１３０は、ＰＤＳＣＨ  ＨＡＲＱ‐ＡＣＫ伝送タイミングに基づいて、ＰＤＳＣＨ  ＨＡＲＱ‐ＡＣＫ情報を送信する。例えば、ＵＥ  ＰＤＳＣＨ  ＨＡＲＱ‐ＡＣＫ情報モジュール１３０は、サービングセルのＤＬアソシエーションセットに対応する伝送アップリンクサブフレームでＰＤＳＣＨ  ＨＡＲＱ‐ＡＣＫ情報を送信する。ＵＥ  ＰＤＳＣＨ  ＨＡＲＱ‐ＡＣＫ情報モジュール１３０は、ＰＵＣＣＨまたはＰＵＳＣＨでＰＤＳＣＨ  ＨＡＲＱ‐ＡＣＫ情報を送信する。
【００４４】
プライマリセルのみでＰＵＣＣＨが伝送される場合には、ＵＥ  ＰＤＳＣＨ  ＨＡＲＱ‐ＡＣＫ情報モジュール１３０は、プライマリセルのＰＵＣＣＨまたはＣｅｌｌ＿ＩＤが最も低いＰＵＳＣＨでＰＤＳＣＨ  ＨＡＲＱ‐ＡＣＫ情報を送信する。一実装では、ＵＥ  ＰＤＳＣＨ  ＨＡＲＱ‐ＡＣＫ情報モジュール１３０は、ＰＣｅｌｌのＰＵＣＣＨまたはＣｅｌｌ＿ＩＤが最も低いＰＵＳＣＨで各サービングセルのＰＤＳＣＨ  ＨＡＲＱ‐ＡＣＫ情報を集約し、送信する。
【００４５】
構成されたＰＵＣＣＨ報告セルでＰＵＣＣＨが伝送される場合には、ＵＥ  ＰＤＳＣＨ  ＨＡＲＱ‐ＡＣＫ情報モジュール１３０は、ＰＵＣＣＨ報告セルのＰＵＣＣＨまたはＣｅｌｌ＿ＩＤが最も低いＰＵＳＣＨでＰＤＳＣＨ  ＨＡＲＱ‐ＡＣＫ情報を送信する。一実装では、ＵＥ  ＰＤＳＣＨ  ＨＡＲＱ‐ＡＣＫ情報モジュール１３０は、ＰＵＣＣＨ報告セルのＰＵＣＣＨまたはＣｅｌｌ＿ＩＤが最も低いＰＵＳＣＨで各サービングセルのＰＤＳＣＨ  ＨＡＲＱ‐ＡＣＫ情報を集約し、送信する。
【００４６】
ＵＥ動作モジュール１２４は、一つ以上の受信器１２０に情報１４８を提供する。例えば、ＵＥ動作モジュール１２４は、受信器（単数または複数）１２０にいつ伝送を受信するかを知らせる。
【００４７】
ＵＥ動作モジュール１２４は、復調器１１４に情報１３８を提供する。例えば、ＵＥ動作モジュール１２４は、復調器１１４にｅＮＢ１６０からの伝送につき予期される変調パターンを知らせる。
【００４８】
ＵＥ動作モジュール１２４は、デコーダ１０８に情報１３６を提供する。例えば、ＵＥ動作モジュール１２４は、デコーダ１０８にｅＮＢ１６０からの伝送につき予期される符号化を知らせる。
【００４９】
ＵＥ動作モジュール１２４は、エンコーダ１５０に情報１４２を提供する。情報１４２は、符号化されるデータおよび／または符号化のための命令を含む。例えば、ＵＥ動作モジュール１２４は、エンコーダ１５０に伝送データ１４６および／または他の情報１４２を符号化するように指示する。他の情報１４２には、ＰＤＳＣＨ  ＨＡＲＱ‐ＡＣＫ情報が含まれる。
【００５０】
エンコーダ１５０は、伝送データ１４６および／またはＵＥ動作モジュール１２４により提供される他の情報１４２を符号化する。例えば、データ１４６および／または他の情報１４２の符号化には、エラー検出および／または訂正符号化、伝送のための空間、時間および／または周波数リソースへのデータのマッピング、多重化などを含む。エンコーダ１５０は、符号化データ１５２を変調器１５４に提供する。
【００５１】
ＵＥ動作モジュール１２４は、変調器１５４に情報１４４を提供する。例えば、ＵＥ動作モジュール１２４は、変調器１５４にｅＮＢ１６０への伝送に使用される変調形式（例えばコンステレーションマッピング）を知らせる。変調器１５４は、符号化データ１５２を変調して、一つ以上の変調信号１５６を一つ以上の伝送器１５８に提供する。
【００５２】
ＵＥ動作モジュール１２４は、一つ以上の伝送器１５８に情報１４０を提供する。この情報１４０は、一つ以上の伝送器１５８への命令を含む。例えば、ＵＥ動作モジュール１２４は、いつｅＮＢ１６０に信号を伝送すべきかを一つ以上の伝送器１５８に指示する。これは、一部の実装では、ＵＥ  ＰＤＳＣＨ  ＨＡＲＱ‐ＡＣＫ伝送タイミングモジュール１２８により決定されるＰＤＳＣＨ  ＨＡＲＱ‐ＡＣＫ伝送タイミングに基づく。例えば一つ以上の伝送器１５８は、ＵＬサブフレームの間に伝送を行う。一つ以上の伝送器１５８は、変調信号（単数または複数）１５６をアップコンバートし、一つ以上のｅＮＢ１６０に伝送する。
【００５３】
ｅＮＢ１６０は、一つ以上のトランシーバ１７６、一つ以上の復調器１７２、一つ以上のデコーダ１６６、一つ以上のエンコーダ１０９、一つ以上の変調器１１３、データバッファ１６２およびｅＮＢ動作モジュール１８２を含む。例えば、一つ以上の受信路および／または伝送路がｅＮＢ１６０に実装される。複数の並列の要素（例えばトランシーバ１７６、デコーダ１６６、復調器１７２、エンコーダ１０９および変調器１１３）が実装されてもよいが、便宜上、一つのトランシーバ１７６、デコーダ１６６、復調器１７２、エンコーダ１０９および変調器１１３だけがｅＮＢ１６０に例示されている。
【００５４】
トランシーバ１７６は、一つ以上の受信器１７８および一つ以上の伝送器１１７を含む。一つ以上の受信器１７８は、一つ以上のアンテナ１８０ａ〜ｎを使用してＵＥ１０２から信号を受け取る。例えば、受信器１７８は、信号を受信し、ダウンコンバートして、一つ以上の受信信号１７４を生産する。一つ以上の受信信号１７４は、復調器１７２に提供される。一つ以上の伝送器１１７は、一つ以上のアンテナ１８０ａ〜ｎを使用してＵＥ１０２に信号を伝送する。例えば、一つ以上の伝送器１１７は、一つ以上の変調信号１１５をアップコンバートし、伝送する。
【００５５】
復調器１７２は、一つ以上の受信信号１７４を復調して、一つ以上の復調信号１７０を生産する。一つ以上の復調信号１７０は、デコーダ１６６に提供される。ｅＮＢ１６０は、デコーダ１６６を使用して信号を復号する。デコーダ１６６は、一つ以上の復号信号１６４、１６８を生産する。例えば、第一ｅＮＢ復号信号１６４は、受信ペイロードデータを含み、これはデータバッファ１６２に格納される。第二ｅＮＢ復号信号１６８は、オーバーヘッドデータおよび／または制御データを含む。例えば、第二ｅＮＢ復号信号１６８は、一つ以上の動作を実行するためにｅＮＢ動作モジュール１８２により使用されるデータ（例えばＰＤＳＣＨ  ＨＡＲＱ‐ＡＣＫ情報）を提供する。
【００５６】
一般に、ｅＮＢ動作モジュール１８２は、ｅＮＢ１６０が一つ以上のＵＥ１０２と通信することを可能にする。ｅＮＢ動作モジュール１８２は、ｅＮＢ二重化方法決定モジュール１９４、ｅＮＢ  ＰＤＳＣＨ  ＨＡＲＱ‐ＡＣＫ伝送タイミングモジュール１９６、およびｅＮＢ  ＰＤＳＣＨ  ＨＡＲＱ‐ＡＣＫ情報モジュール１９８のうちの一つ以上を含む。
【００５７】
ｅＮＢ二重化方法決定モジュール１９４は、ＦＤＤおよびＴＤＤキャリアアグリゲーションでの各サービングセルの二重化方法を決定する。ｅＮＢ１６０は、ＦＤＤまたはＴＤＤ二重化を使用してサービングセルによりＵＥ１０２と通信する。ｅＮＢ二重化方法決定モジュール１９４は、ＦＤＤおよびＴＤＤキャリアアグリゲーションにおいて使用される構成されたサービングセルのそれぞれの二重化方法を決定する。換言すれば、ｅＮＢ二重化方法決定モジュール１９４は、サービングセルがＦＤＤセルであるかＴＤＤセルであるかを決定する。
【００５８】
ｅＮＢ  ＰＤＳＣＨ  ＨＡＲＱ‐ＡＣＫ伝送タイミングモジュール１９６は、サービングセルのＰＤＳＣＨ  ＨＡＲＱ‐ＡＣＫ伝送タイミングを決定する。一つの場合では、プライマリセル（ＰＣｅｌｌ）のみでＰＵＣＣＨが伝送される。この場合、ＰＣｅｌｌはＦＤＤセルまたはＴＤＤセルである。
【００５９】
一つのシナリオでは、ＦＤＤセルがＰＣｅｌｌである。このシナリオでは、全てのセル（ＦＤＤおよびＴＤＤセカンダリセル（ＳＣｅｌｌ）を含む）が、ＰＣｅｌｌのＦＤＤタイミングにしたがう。サブフレームｎ−４でのＰＤＳＣＨ伝送は、サブフレームｎで確認応答される。ＰＣｅｌｌのＰＵＣＣＨまたはＣｅｌｌ＿ＩＤが最も低いＰＵＳＣＨで全てのセルのＰＤＳＣＨ  ＨＡＲＱ‐ＡＣＫ情報が集約され、報告される。
【００６０】
別のシナリオでは、ＴＤＤセルがＰＣｅｌｌである。このシナリオでは、ＰＣｅｌｌのＰＵＣＣＨまたはＣｅｌｌ＿ＩＤが最も低いＰＵＳＣＨで全てのサービングセルのＰＤＳＣＨ  ＨＡＲＱ‐ＡＣＫ情報が集約され、報告される。集約されたセルのＤＬアソシエーションセットおよびＰＤＳＣＨ  ＨＡＲＱ‐ＡＣＫ伝送タイミングは、セルのＤＬ参照ＵＬ／ＤＬ構成にしたがう。
【００６１】
一実装では、ＴＤＤ  ＰＣｅｌｌのＤＬ参照ＵＬ／ＤＬ構成は、ＰＣｅｌｌ  ＵＬ／ＤＬ構成である。ＤＬ参照ＵＬ／ＤＬ構成を用いて、ＤＬアソシエーションセットが決定される。ｅＮＢ  ＰＤＳＣＨ  ＨＡＲＱ‐ＡＣＫ伝送タイミングモジュール１９６は、ＴＤＤ  ＰＣｅｌｌのＤＬアソシエーションセットに基づいて、ＴＤＤ  ＰＣｅｌｌのＰＤＳＣＨ  ＨＡＲＱ‐ＡＣＫ伝送タイミングを決定する。
【００６２】
別の実装では、ＴＤＤ  ＳＣｅｌｌのＤＬ参照ＵＬ／ＤＬ構成が、図４に関して後述するように、表（４）にしたがってＰＣｅｌｌ  ＵＬ／ＤＬ構成とＳＣｅｌｌ  ＵＬ／ＤＬ構成との組み合わせにより決定される。ＴＤＤ  ＳＣｅｌｌのＤＬ参照ＵＬ／ＤＬ構成を用いて、ＴＤＤ  ＳＣｅｌｌのＤＬアソシエーションセットが決定される。ｅＮＢ  ＰＤＳＣＨ  ＨＡＲＱ‐ＡＣＫ伝送タイミングモジュール１９６は、ＴＤＤ  ＳＣｅｌｌのＤＬアソシエーションセットに基づいて、ＴＤＤ  ＳＣｅｌｌのＰＤＳＣＨ  ＨＡＲＱ‐ＡＣＫ伝送タイミングを決定する。
【００６３】
さらに別の実装では、ＦＤＤ  ＳＣｅｌｌのＤＬアソシエーションセットが、ｅＮＢ  ＰＤＳＣＨ  ＨＡＲＱ‐ＡＣＫ伝送タイミングモジュール１９６により、プライマリセルのＤＬ参照ＵＬ／ＤＬ構成に基づいて決定される。ＦＤＤセルＤＬアソシエーションセットについての表により、プライマリセルのＤＬ参照ＵＬ／ＤＬ構成を表の入力として用いて、ＦＤＤ  ＳＣｅｌｌのＤＬアソシエーションセットが得られる。ＦＤＤセルのＤＬアソシエーションセットは、プライマリセルのＤＬ参照ＵＬ／ＤＬ構成のＴＤＤ  ＤＬアソシエーションセットの上位セットである。さらに、ＦＤＤセルのＤＬアソシエーションセットは、ＤＬアソシエーションセットのサブフレームをより均一に分散するために最適化される。
【００６４】
別の場合には、構成されたＰＵＣＣＨ報告セルでＰＵＣＣＨが伝送される。この場合には、ＳＣｅｌｌでのＰＵＣＣＨ報告が構成される。ＦＤＤセルまたはＴＤＤセルが、ＰＵＣＣＨ報告セルとして構成される。
【００６５】
一つのシナリオでは、ＦＤＤセルがＰＵＣＣＨ報告セルとして構成される。このシナリオでは、全てのセル（ＦＤＤおよびＴＤＤセカンダリセル（ＳＣｅｌｌ）を含む）が、ＰＵＣＣＨ報告セルのＦＤＤタイミングにしたがう。サブフレームｎ−４でのＰＤＳＣＨ伝送は、サブフレームｎで確認応答される。
【００６６】
別のシナリオでは、ＴＤＤセルがＰＵＣＣＨ報告セルとして構成される。このシナリオでは、ＰＵＣＣＨ報告セルのＰＵＣＣＨまたはＣｅｌｌ＿ＩＤが最も低いＰＵＳＣＨで全てのサービングセルのＰＤＳＣＨ  ＨＡＲＱ‐ＡＣＫ情報が集約され、報告される。
【００６７】
一実装では、ＰＵＣＣＨ報告セルのＤＬ参照ＵＬ／ＤＬ構成は、ＰＵＣＣＨ報告セルのＵＬ／ＤＬ構成である。ＰＵＣＣＨ報告セルのＤＬ参照ＵＬ／ＤＬ構成を用いて、ＰＵＣＣＨ報告セルのＤＬアソシエーションセットが決定される。ｅＮＢ  ＰＤＳＣＨ  ＨＡＲＱ‐ＡＣＫ伝送タイミングモジュール１９６は、ＰＵＣＣＨ報告セルのＤＬアソシエーションセットに基づいて、ＰＤＳＣＨ  ＨＡＲＱ‐ＡＣＫ伝送タイミングを決定する。
【００６８】
別の実装では、図４に関して後述するように、ＴＤＤ  ＰＵＣＣＨ報告セルＵＬ／ＤＬ構成をＰＣｅｌｌ  ＵＬ／ＤＬ構成として用い、ＴＤＤセルＵＬ／ＤＬ構成をＳＣｅｌｌ  ＵＬ／ＤＬ構成として用いて、表（４）にしたがってＰＵＣＣＨ報告セルＵＬ／ＤＬ構成とＴＤＤセルＵＬ／ＤＬ構成との組み合せにより、ＰＵＣＣＨ報告セル（例えばＴＤＤ  ＰＣｅｌｌまたはＳＣｅｌｌ）以外のＴＤＤセルのＤＬ参照ＵＬ／ＤＬ構成が決定される。ＴＤＤセルのＤＬ参照ＵＬ／ＤＬ構成を用いて、ＴＤＤセルのＤＬアソシエーションセットが決定される。ｅＮＢ  ＰＤＳＣＨ  ＨＡＲＱ‐ＡＣＫ伝送タイミングモジュール１９６は、ＴＤＤセルのＤＬアソシエーションセットに基づいて、ＴＤＤセルのＰＤＳＣＨ  ＨＡＲＱ‐ＡＣＫ伝送タイミングを決定する。
【００６９】
さらに別の実装では、ＦＤＤ  ＳＣｅｌｌのＤＬアソシエーションセットが、ＰＵＣＣＨ報告セルのＤＬ参照ＵＬ／ＤＬ構成に基づいて決定される。ＦＤＤセルＤＬアソシエーションセットについての表から、ＰＵＣＣＨ報告セルのＤＬ参照ＵＬ／ＤＬ構成を表の入力として用いて、ＦＤＤ  ＳＣｅｌｌのＤＬアソシエーションセットが得られる。ＤＬアソシエーションセットは、ＰＵＣＣＨ報告セルのＤＬ参照ＵＬ／ＤＬ構成のＴＤＤ  ＤＬアソシエーションセットの上位セットである。さらに、ＤＬアソシエーションセットは、ＤＬアソシエーションセットのサブフレームをより均一に分散するために最適化される。
【００７０】
全ての場合において、ＴＤＤセルがトラフィックアダプテーションを用いた動的ＵＬ／ＤＬ再構成により構成される（例えばＴＤＤセルがｅＩＭＴＡセルである）場合には、ＣＡにおいて使用されるＤＬ参照ＵＬ／ＤＬ構成は、ｅＩＭＴＡセルのＤＬ参照ＵＬ／ＤＬ構成に基づくことに注意しなければならない。したがって、ｅＮＢ  ＰＤＳＣＨ  ＨＡＲＱ‐ＡＣＫ伝送タイミングモジュール１９６がｅＩＭＴＡセルのＤＬ参照ＵＬ／ＤＬ構成を用いて、ＦＤＤおよびＴＤＤキャリアアグリゲーションの各サービングセルのＰＤＳＣＨ  ＨＡＲＱ‐ＡＣＫ伝送タイミングを決定する。
【００７１】
ｅＮＢ  ＰＤＳＣＨ  ＨＡＲＱ‐ＡＣＫ情報モジュール１９８は、ＰＤＳＣＨ  ＨＡＲＱ‐ＡＣＫ伝送タイミングに基づいて、ＰＤＳＣＨ  ＨＡＲＱ‐ＡＣＫ情報を受信する。例えば、ｅＮＢ  ＰＤＳＣＨ  ＨＡＲＱ‐ＡＣＫ情報モジュール１９８は、サービングセルのＤＬアソシエーションセットに対応する伝送アップリンクサブフレームでＰＤＳＣＨ  ＨＡＲＱ‐ＡＣＫ情報を受信する。ｅＮＢ  ＰＤＳＣＨ  ＨＡＲＱ‐ＡＣＫ情報モジュール１９８は、ＰＵＣＣＨまたはＰＵＳＣＨでＰＤＳＣＨ  ＨＡＲＱ‐ＡＣＫ情報を受信する。
【００７２】
プライマリセルのみでＰＵＣＣＨが伝送される（例えばＰＵＣＣＨ報告セルが構成されない）場合には、ｅＮＢ  ＰＤＳＣＨ  ＨＡＲＱ‐ＡＣＫ情報モジュール１９８は、プライマリセルのＰＵＣＣＨまたはＣｅｌｌ＿ＩＤが最も低いＰＵＳＣＨでＰＤＳＣＨ  ＨＡＲＱ‐ＡＣＫ情報を受信する。一実装では、ｅＮＢ  ＰＤＳＣＨ  ＨＡＲＱ‐ＡＣＫ情報モジュール１９８は、ＰＣｅｌｌのＰＵＣＣＨまたはＣｅｌｌ＿ＩＤが最も低いＰＵＳＣＨで集約された各サービングセルのＰＤＳＣＨ  ＨＡＲＱ‐ＡＣＫ情報を受信する。
【００７３】
ＰＵＣＣＨが構成されたＰＵＣＣＨ報告セルで伝送される場合には、ｅＮＢ  ＰＤＳＣＨ  ＨＡＲＱ‐ＡＣＫ情報モジュール１９８は、ＰＵＣＣＨ報告セルのＰＵＣＣＨまたはＣｅｌｌ＿ＩＤが最も低いＰＵＳＣＨでＰＤＳＣＨ  ＨＡＲＱ‐ＡＣＫ情報を受信する。一実装では、ｅＮＢ  ＰＤＳＣＨ  ＨＡＲＱ‐ＡＣＫ情報モジュール１９８は、ＰＵＣＣＨ報告セルのＰＵＣＣＨまたはＣｅｌｌ＿ＩＤが最も低いＰＵＳＣＨで集約された各サービングセルのＰＤＳＣＨ  ＨＡＲＱ‐ＡＣＫ情報を受信する。
【００７４】
ｅＮＢ動作モジュール１８２は、一つ以上の受信器１７８に情報１９０を提供する。例えば、ｅＮＢ動作モジュール１８２は、ダウンリンクサブフレームアソシエーションセットに基づいてＰＤＳＣＨ  ＨＡＲＱ‐ＡＣＫ情報をいつ受信すべきかまたは受信すべきでないかを受信器（単数または複数）１７８に知らせる。
【００７５】
ｅＮＢ動作モジュール１８２は、復調器１７２に情報１８８を提供する。例えば、ｅＮＢ動作モジュール１８２は、復調器１７２にＵＥ（単数または複数）１０２からの伝送につき予期される変調パターンを知らせる。
【００７６】
ｅＮＢ動作モジュール１８２は、デコーダ１６６に情報１８６を提供する。例えば、ｅＮＢ動作モジュール１８２は、デコーダ１６６にＵＥ（単数または複数）１０２からの伝送につき予期される符号化を知らせる。
【００７７】
ｅＮＢ動作モジュール１８２は、エンコーダ１０９に情報１０１を提供する。情報１０１は、符号化されるデータおよび／または符号化のための命令を含む。例えば、ｅＮＢ動作モジュール１８２は、エンコーダ１０９に伝送データ１０５および／または他の情報１０１を符号化するように指示する。
【００７８】
エンコーダ１０９は、伝送データ１０５および／またはｅＮＢ動作モジュール１８２により提供される他の情報１０１を符号化する。例えば、データ１０５および／または他の情報１０１の符号化には、エラー検出および／または訂正符号化、伝送のための空間、時間および／または周波数リソースへのデータのマッピング、多重化などを含む。エンコーダ１０９は、符号化データ１１１を変調器１１３に提供する。伝送データ１０５は、ＵＥ１０２にリレーされるネットワークデータを含む。
【００７９】
ｅＮＢ動作モジュール１８２は、変調器１１３に情報１０３を提供する。この情報１０３は、変調器１１３への命令を含む。例えば、ｅＮＢ動作モジュール１８２は、変調器１１３にＵＥ（単数または複数）１０２への伝送に使用される変調形式（例えばコンステレーションマッピング）を知らせる。変調器１１３は、符号化データ１１１を変調して、一つ以上の変調信号１１５を一つ以上の伝送器１１７に提供する。
【００８０】
ｅＮＢ動作モジュール１８２は、一つ以上の伝送器１１７に情報１９２を提供する。この情報１９２は、一つ以上の伝送器１１７への命令を含む。例えば、ｅＮＢ動作モジュール１８２は、いつＵＥ（単数または複数）１０２に信号を伝送すべきか（またはすべきでないか）を一つ以上の伝送器１１７に指示する。これは、一部の実装では、ＤＬアソシエーションセットおよびＰＤＳＣＨ  ＨＡＲＱ‐ＡＣＫ伝送タイミングに基づく。一つ以上の伝送器１１７は、変調信号（単数または複数）１１５をアップコンバートし、一つ以上のＵＥ１０２に伝送する。
【００８１】
ｅＮＢ１６０から一つ以上のＵＥ１０２にＤＬサブフレームが伝送され、一つ以上のＵＥ１０２からｅＮＢ１６０にＵＬサブフレームが伝送されてよいことに注意しなければならない。さらに、ｅＮＢ１６０および一つ以上のＵＥ１０２のいずれも、標準スペシャルサブフレームでデータを伝送することができる。
【００８２】
ｅＮＢ（単数または複数）１６０およびＵＥ（単数または複数）１０２に含まれる要素の一つ以上またはその部分が、ハードウェアにおいて実装されうることにも注意されたい。例えば、これらの要素の一つ以上またはその部分は、チップ、回路またはハードウェアコンポーネントなどとして実装される。本明細書に記載の機能または方法の一つ以上が、ハードウェアにおいて実装され、および／またはハードウェアを使用して実行されてもよいことにも注意されたい。例えば、本明細書に記載される方法の一つ以上は、チップセット、特定用途向け集積回路（ＡＳＩＣ；ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ；ｌａｒｇｅ−ｓｃａｌｅ  ｉｎｔｅｇｒａｔｅｄ  ｃｉｒｃｕｉｔ）または集積回路などにおいて実装されおよび／または実現される。
【００８３】
図２は、ＵＥ１０２によってキャリアアグリゲーションを実行する方法２００の一実装を示したフローダイヤグラムである。ＵＥ１０２は、ＦＤＤおよびＴＤＤキャリアアグリゲーションのための各サービングセルの二重化方法を決定する（ステップ２０２）。ＵＥ１０２は、一つ以上のＦＤＤセルおよび一つ以上のＴＤＤセルでキャリアアグリゲーションが実行されるワイヤレス通信ネットワーク内に位置する。一実装では、ワイヤレス通信ネットワークは、ＬＴＥネットワークである。
【００８４】
ＵＥ１０２は、ＦＤＤまたはＴＤＤ二重化を使用してサービングセルによりｅＮＢ１６０と通信する。サービングセルは、通信チャネル１１９、１２１のセットである。キャリアアグリゲーション（ＣＡ）の間には、複数のサービングセルがＵＥ１０２に集約される。ＵＥ１０２は、ＦＤＤおよびＴＤＤキャリアアグリゲーションにおいて使用される、構成されたサービングセルの各々の二重化方法を決定する（ステップ２０２）。換言すれば、ＵＥ１０２は、サービングセルがＦＤＤセルであるかＴＤＤセルであるかを決定する（ステップ２０２）。少なくとも一つのサービングセルがＴＤＤセルであり、少なくとも一つのサービングセルがＦＤＤセルであればよい。
【００８５】
ＵＥは、サブフレームオフセット（またはサブフレームシフト）を決定する。異なるＵＥからのＨＡＲＱ‐ＡＣＫ報告をＴＤＤ  ＰＣｅｌｌまたは報告セルの異なるＵＬサブフレームに分散するため、ＦＤＤセルのＤＬサブフレームを異なるＵＥに利用するため、およびオフセットを有するＴＤＤ構成に基づいてＦＤＤ  ＳＣｅｌｌのＤＬ参照構成を導出するために、ｅＮＢがＦＤＤセルのＴＤＤ構成に対するオフセット値をシグナリングする。サブフレームオフセットの使用は、ＴＤＤおよびＦＤＤキャリアアグリゲーションのタイミング参照に解決策を提供する。これは、ＴＤＤ構成またはＴＤＤ構成に基づくＤＬアソシエーションパターンがＦＤＤセルに適用される場合に特に当てはまる。
【００８６】
ＵＥは、オフセットを含むＦＤＤセルに対するＴＤＤ  ＵＬ／ＤＬ構成をサポートしなければならない。ＵＥは、ＴＤＤ  ＵＬ／ＤＬ構成およびオフセット値に基づいてＦＤＤセルのＤＬアソシエーションセットおよびＰＤＳＣＨ  ＨＡＲＱ‐ＡＣＫタイミングを決定する。
【００８７】
ＦＤＤおよびＴＤＤセルが無線フレームレベルで同期されない場合、オフセット値によりタイミング参照も定義される。オフセット値は、サブフレームインデックス同期のためにＳＣｅｌｌでシフトされるＴＴＩまたはサブフレームの数を示す数字でありうる。無線フレーム同期オフセットは、同期信号に基づいてｅＮＢおよびＵＥにより自動的に導出されるか、または無線フレーム同期オフセットは、ｅＮＢによりＵＥにシグナリングされる。ＴＤＤ構成および無線フレーム同期に関するオフセット値は、ｅＮＢにより、一つのオフセットとしてまたは二つの別々のパラメータとしてシグナリングされる。
【００８８】
ＵＥ１０２は、サービングセルのＰＤＳＣＨ  ＨＡＲＱ‐ＡＣＫ伝送タイミングを決定する（ステップ２０４）。ＦＤＤおよびＴＤＤネットワークのＰＤＳＣＨ  ＨＡＲＱ‐ＡＣＫ報告は大きく異なる。ＦＤＤでは、サブフレームｎにおけるＰＤＳＣＨ伝送のＨＡＲＱ‐ＡＣＫが、ＰＵＣＣＨまたはＰＵＳＣＨ伝送のサブフレームｎ＋４で報告される。しかしＴＤＤでは、ＰＤＳＣＨ  ＨＡＲＱ‐ＡＣＫは、ＵＬ割り当てを有するサブフレームのみで報告される。したがって、ＴＤＤでは、ＰＤＳＣＨ  ＨＡＲＱ‐ＡＣＫ報告に関して一つのＵＬサブフレームが複数のＤＬサブフレームに関連付けられる。したがって、ハイブリッド二重化ネットワークにおけるＣＡのためのマルチセルＨＡＲＱ‐ＡＣＫ報告が指定される。
【００８９】
ＴＤＤセルでは、ダウンリンクアソシエーションセットおよびＰＤＳＣＨ  ＨＡＲＱ‐ＡＣＫ報告タイミングが全てのＴＤＤ  ＵＬ／ＤＬ構成につき明確に定義される。ＴＤＤセルは、ダウンリンクアソシエーションセットおよびＰＤＳＣＨ  ＨＡＲＱ‐ＡＣＫタイミングにつき、セルのＤＬ参照ＵＬ／ＤＬ構成にしたがう。ＤＬ参照ＵＬ／ＤＬ構成に基づいてダウンリンクアソシエーションセットが決定される。それからダウンリンクアソシエーションセットが、ＰＤＳＣＨ  ＨＡＲＱ‐ＡＣＫタイミングを定義する。
【００９０】
しかしＦＤＤセルでは、全てのサブフレームにＤＬが存在しうるが、全てのサブフレームをＤＬとして報告できる既存のＴＤＤ  ＵＬ／ＤＬ構成は存在しない。したがって、ＦＤＤセルのために新たなダウンリンクアソシエーションセットが定義される。七つ全てのＴＤＤ  ＵＬ／ＤＬ構成につき、ＦＤＤダウンリンクアソシエーションセットが定義される。したがって、ＦＤＤおよびＴＤＤ  ＣＡが使用され、ＴＤＤセルがＰＤＳＣＨ  ＨＡＲＱ‐ＡＣＫフィードバックのためのＰＣｅｌｌまたはＰＵＣＣＨ報告セルであるときには、一つ以上のＦＤＤサービングセルは、ＰＣｅｌｌおよび／またはＰＵＣＣＨ報告ＴＤＤセルのＤＬ参照ＵＬ／ＤＬ構成にしたがって決定されるＦＤＤ  ＤＬアソシエーションセットを使用する。
【００９１】
ＦＤＤセルのダウンリンクアソシエーションセットが、非キャリアアグリゲーション動作に使用されうる。例えば、普通の（例えば非キャリアアグリゲーション）ＦＤＤ  ＰＤＳＣＨ  ＨＡＲＱ‐ＡＣＫ伝送タイミング（例えばサブフレームｎ−４のＰＤＳＣＨ伝送およびサブフレームｎのＨＡＲＱ‐ＡＣＫ伝送）が、ＦＤＤセルのダウンリンクアソシエーションセットにより置換される。したがって、ＵＥ１０２がＦＤＤセルのダウンリンクアソシエーションセットを使用するかまたは固定の４ミリ秒（ｍｓ）ＰＤＳＣＨ  ＨＡＲＱ‐ＡＣＫタイミングを使用するかが、上位レイヤによって構成される。このアプローチは、ＰＵＣＣＨリソースを含まないサブフレームを提供する。
【００９２】
一つの場合には、プライマリセルのみでＰＵＣＣＨが伝送される。この場合、プライマリセルは、ＦＤＤセルまたはＴＤＤセルである。ＦＤＤセルがプライマリセル（ＰＣｅｌｌ）である場合、全てのセル（ＦＤＤおよびＴＤＤセカンダリセル（ＳＣｅｌｌ）を含む）がＰＣｅｌｌのＦＤＤタイミングにしたがう。この（ＦＤＤセルがＰＣｅｌｌである）シナリオでは、ＴＤＤセルは、（例えば固定の４ｍｓの遅延を用いた）半二重化ＦＤＤセルとして見られる。サブフレームｎ−４でのＰＤＳＣＨ伝送は、サブフレームｎで確認応答される。ＰＣｅｌｌのＰＵＣＣＨまたはＣｅｌｌ＿ＩＤが最も低いＰＵＳＣＨで全てのセルのＰＤＳＣＨ  ＨＡＲＱ‐ＡＣＫ情報が集約され、報告される。したがって、サービングセルがＦＤＤセルであり、サービングセルがプライマリセルである場合、またはサービングセルがセカンダリセルであり、プライマリセルがＦＤＤセルである場合、ＵＥ１０２は、ＵＥ１０２への前のサブフレーム（例えばｎ−４）におけるＰＤＳＣＨ伝送の検出時にサービングセルのＰＤＳＣＨ  ＨＡＲＱ‐ＡＣＫ伝送タイミングを決定する（ステップ２０４）。後のサブフレーム（例えばｎ）で、ＰＤＳＣＨ  ＨＡＲＱ‐ＡＣＫ情報が送信される。
【００９３】
別のシナリオでは、ＴＤＤセルがＰＣｅｌｌである。このシナリオでは、ＰＣｅｌｌのＰＵＣＣＨまたはＣｅｌｌ＿ＩＤが最も低いＰＵＳＣＨで全てのサービングセルのＰＤＳＣＨ  ＨＡＲＱ‐ＡＣＫ情報が集約され、報告される。集約されたセルのＤＬアソシエーションセットおよびＰＤＳＣＨ  ＨＡＲＱ‐ＡＣＫ伝送タイミングは、セルのＤＬ参照ＵＬ／ＤＬ構成にしたがう。
【００９４】
一実装では、ＴＤＤ  ＰＣｅｌｌのＤＬ参照ＵＬ／ＤＬ構成は、ＰＣｅｌｌ  ＵＬ／ＤＬ構成である。ＴＤＤ  ＰＣｅｌｌのＤＬ参照ＵＬ／ＤＬ構成を用いて、ＴＤＤ  ＰＣｅｌｌのＤＬアソシエーションセットが決定される。ＵＥ１０２は、ＴＤＤ  ＰＣｅｌｌのＤＬアソシエーションセットに基づいてＴＤＤ  ＰＣｅｌｌのＰＤＳＣＨ  ＨＡＲＱ‐ＡＣＫ伝送タイミングを決定する（ステップ２０４）。
【００９５】
別の実装では、ＴＤＤ  ＳＣｅｌｌのＤＬ参照ＵＬ／ＤＬ構成が、図４に関して後述するように、表（４）にしたがってＰＣｅｌｌ  ＵＬ／ＤＬ構成とＳＣｅｌｌ  ＵＬ／ＤＬ構成の組み合わせにより決定される。ＴＤＤ  ＳＣｅｌｌのＤＬ参照ＵＬ／ＤＬ構成を用いて、ＴＤＤ  ＳＣｅｌｌのＤＬアソシエーションセットが決定される。ＵＥ１０２は、ＴＤＤ  ＳＣｅｌｌのＤＬアソシエーションセットに基づいて、ＴＤＤ  ＳＣｅｌｌのＰＤＳＣＨ  ＨＡＲＱ‐ＡＣＫ伝送タイミングを決定する（ステップ２０４）。したがって、プライマリセルがＴＤＤセルであり、サービングセルがＴＤＤセルであり、サービングセルがセカンダリセルであるとき、サービングセルのＤＬアソシエーションセットは、サービングセルのＤＬ参照ＵＬ／ＤＬ構成に基づいて決定される。サービングセルのＤＬ参照ＵＬ／ＤＬ構成は、プライマリセルのＴＤＤ  ＵＬ／ＤＬ構成およびサービングセルのＴＤＤ  ＵＬ／ＤＬ構成に基づいて決定される。
【００９６】
さらに別の実装では、ＦＤＤ  ＳＣｅｌｌのＤＬアソシエーションセットが、プライマリセルのＤＬ参照ＵＬ／ＤＬ構成およびＦＤＤ  ＳＣｅｌｌのＴＤＤ構成に基づいて決定される。ＦＤＤ  ＳＣｅｌｌのＴＤＤ構成に対し、サブフレームオフセットまたはサブフレームシフトが構成される。ＦＤＤ  ＳＣｅｌｌのＤＬ参照ＵＬ／ＤＬ構成により、ＦＤＤ  ＳＣｅｌｌのＤＬアソシエーションセットが得られる。（オフセットを含むまたは含まない）ＦＤＤ  ＳＣｅｌｌのＤＬ参照ＵＬ／ＤＬ構成は、ｅＮＢにより直接構成されうる。ＰＣｅｌｌのＤＬ参照ＵＬ／ＤＬ構成と（オフセットを含むまたは含まない）ＦＤＤ  ＳＣｅｌｌのＴＤＤ  ＵＬ／ＤＬ構成との間のオーバーラップするＵＬサブフレームにより、ＦＤＤ  ＳＣｅｌｌのＤＬアソシエーションセットが決定される。
【００９７】
別の場合には、構成されたＰＵＣＣＨ報告セルでＰＵＣＣＨが伝送される。この場合、ＳＣｅｌｌでのＰＵＣＣＨ報告が構成される。ＦＤＤセルまたはＴＤＤセルが、ＰＵＣＣＨ報告セルとして構成される。スモールセルのシナリオでは、ＵＥ１０２はマクロセルｅＮＢ１６０からより強いＤＬ信号を受け取るが、スモールセルへのアップリンクのほうがマクロセルｅＮＢ１６０へのリンクよりもはるかに良好である。マクロセルｅＮＢ１６０は、スモールセルをアップリンクＰＵＣＣＨ報告セルとして構成する。例えばＰＣｅｌｌがＦＤＤセルであり、スモールセルがＴＤＤセルであるが、スモールセルへのアップリンクのほうがＰＣｅｌｌへのアップリンクよりもはるかに良好である場合には、ＴＤＤ  ＳＣｅｌｌがＰＤＳＣＨ  ＨＡＲＱ‐ＡＣＫ報告のためのＰＵＣＣＨを搬送するように構成される。ＰＵＣＣＨ報告セルは、参照セルまたは報告セルとも呼称される。
【００９８】
ＦＤＤセルがＰＵＣＣＨ報告セルとして構成される場合、全てのセル（ＦＤＤおよびＴＤＤプライマリおよびセカンダリセルを含む）がＰＵＣＣＨ報告セルのＦＤＤタイミングにしたがう。この（ＦＤＤセルがＰＵＣＣＨ報告セルである）シナリオでは、ＴＤＤセルは、（例えば固定の４ｍｓの遅延を用いた）半二重化ＦＤＤセルとして見られる。サブフレームｎ−４でのＰＤＳＣＨ伝送は、サブフレームｎで確認応答される。ＰＵＣＣＨ報告セルのＰＵＣＣＨまたはＣｅｌｌ＿ＩＤが最も低いＰＵＳＣＨで全てのセルのＰＤＳＣＨ  ＨＡＲＱ‐ＡＣＫ情報が集約され、報告される。したがって、サービングセルがＦＤＤセルであり、サービングセルがＰＵＣＣＨ報告セルである場合、またはサービングセルがセカンダリセルであり、ＰＵＣＣＨ報告セルがＦＤＤセルである場合、ＵＥ１０２は、ＵＥ１０２への前のサブフレーム（例えばｎ−４）におけるＰＤＳＣＨ伝送の検出時にサービングセルのＰＤＳＣＨ  ＨＡＲＱ‐ＡＣＫ伝送タイミングを決定する（ステップ２０４）。後のサブフレーム（例えばｎ）で、ＰＤＳＣＨ  ＨＡＲＱ‐ＡＣＫ情報が送信される。
【００９９】
別のシナリオでは、ＴＤＤセルがＰＵＣＣＨ報告セルとして構成される。このシナリオでは、ＰＵＣＣＨ報告セルのＰＵＣＣＨまたはＣｅｌｌ＿ＩＤが最も低いＰＵＳＣＨで全てのサービングセルのＰＤＳＣＨ  ＨＡＲＱ‐ＡＣＫ情報が集約され、報告される。集約されたセルのＤＬアソシエーションセットおよびＰＤＳＣＨ  ＨＡＲＱ‐ＡＣＫ伝送タイミングは、セルのＤＬ参照ＵＬ／ＤＬ構成にしたがう。
【０１００】
一実装では、ＴＤＤ  ＰＵＣＣＨ報告セルのＤＬ参照ＵＬ／ＤＬ構成は、ＰＵＣＣＨ報告セルＵＬ／ＤＬ構成である。ＤＬ参照ＵＬ／ＤＬ構成を用いて、ＰＵＣＣＨ報告セルのＤＬアソシエーションセットが決定される。ＵＥ１０２は、ＰＵＣＣＨ報告セルのＤＬアソシエーションセットに基づいてＰＵＣＣＨ報告セルのＰＤＳＣＨ  ＨＡＲＱ‐ＡＣＫ伝送タイミングを決定する（ステップ２０４）。
【０１０１】
別の実装では、図４に関して後述するように、ＰＵＣＣＨ報告セルＵＬ／ＤＬ構成とＴＤＤセルＵＬ／ＤＬ構成との組み合わせにより、表（４）にしたがってＰＵＣＣＨ報告セル（例えばＴＤＤ  ＰＣｅｌｌまたはＳＣｅｌｌ）以外のＴＤＤセルのＤＬ参照ＵＬ／ＤＬ構成が決定される。例えば、ＴＤＤ  ＰＵＣＣＨ報告セルＵＬ／ＤＬ構成は表（４）のＰＣｅｌｌ  ＵＬ／ＤＬ構成に対応し、ＴＤＤセルＵＬ／ＤＬ構成は表（４）のＳＣｅｌｌ  ＵＬ／ＤＬ構成に対応する。ＴＤＤセルのＤＬ参照ＵＬ／ＤＬ構成が、ＴＤＤセルのＤＬアソシエーションセットのために使用される。
【０１０２】
ＵＥ１０２は、ＴＤＤセルのＤＬアソシエーションセットに基づいて、ＴＤＤセルのＰＤＳＣＨ  ＨＡＲＱ‐ＡＣＫ伝送タイミングを決定する（ステップ２０４）。したがって、ＰＵＣＣＨ報告セルがＴＤＤセルであり、サービングセルがＴＤＤセルであり、サービングセルがセカンダリセルであるとき、サービングセルのＤＬアソシエーションセットは、サービングセルのＤＬ参照ＵＬ／ＤＬ構成に基づいて決定される。サービングセルのＤＬ参照ＵＬ／ＤＬ構成は、ＰＵＣＣＨ報告セルのＴＤＤ  ＵＬ／ＤＬ構成およびサービングセルのＴＤＤ  ＵＬ／ＤＬ構成に基づいて決定される。
【０１０３】
さらに別の構成では、ＦＤＤ  ＳＣｅｌｌのＤＬアソシエーションセットが、ＰＵＣＣＨ報告セルのＤＬ参照ＵＬ／ＤＬ構成およびＦＤＤ  ＳＣｅｌｌのＴＤＤ構成に基づいて決定される。ＦＤＤ  ＳＣｅｌｌのＴＤＤ構成に対し、サブフレームオフセットまたはサブフレームシフトが構成される。ＦＤＤ  ＳＣｅｌｌのＤＬ参照ＵＬ／ＤＬ構成により、ＦＤＤ  ＳＣｅｌｌのＤＬアソシエーションセットが得られる。（オフセットを含むまたは含まない）ＦＤＤ  ＳＣｅｌｌのＤＬ参照ＵＬ／ＤＬ構成は、ｅＮＢにより直接構成される。報告セルのＤＬ参照ＵＬ／ＤＬ構成と（オフセットを含むまたは含まない）ＦＤＤ  ＳＣｅｌｌのＴＤＤ  ＵＬ／ＤＬ構成との間のオーバーラップするＵＬサブフレームにより、ＦＤＤ  ＳＣｅｌｌのＤＬアソシエーションセットが決定される。
【０１０４】
全ての場合において、ＴＤＤセルがトラフィックアダプテーションを用いた動的ＵＬ／ＤＬ再構成により構成される（例えばＴＤＤセルがｅＩＭＴＡセルである）場合には、ＣＡにおいて使用されるＤＬ参照ＵＬ／ＤＬ構成は、ｅＩＭＴＡセルのＤＬ参照ＵＬ／ＤＬ構成に基づくことに注意しなければならない。したがって、一つの場合には、ｅＩＭＴＡ  ＴＤＤセルがＰＣｅｌｌとして構成される場合、ｅＩＭＴＡセルのＤＬ参照ＵＬ／ＤＬ構成を用いて、ＦＤＤおよびＴＤＤキャリアアグリゲーションの各サービングセルのＰＤＳＣＨ  ＨＡＲＱ‐ＡＣＫ伝送タイミングが決定される（ステップ２０４）。別の場合には、ｅＩＭＴＡ  ＴＤＤセルがＰＵＣＣＨ報告セルとして構成される場合、ｅＩＭＴＡセルのＤＬ参照ＵＬ／ＤＬ構成を用いて、ＦＤＤおよびＴＤＤキャリアアグリゲーションの各サービングセルのＰＤＳＣＨ  ＨＡＲＱ‐ＡＣＫ伝送タイミングが決定される（ステップ２０４）。
【０１０５】
ＵＥ１０２は、ＰＤＳＣＨ  ＨＡＲＱ‐ＡＣＫ伝送タイミングに基づいて、ＰＤＳＣＨ  ＨＡＲＱ‐ＡＣＫ情報を送信する（ステップ２０６）。例えば、ＵＥ１０２は、サービングセルのＤＬアソシエーションセットに対応する伝送アップリンクサブフレームにおいてＰＤＳＣＨ  ＨＡＲＱ‐ＡＣＫ情報を送信する（ステップ２０６）。ＵＥ１０２は、ＰＵＣＣＨまたはＰＵＳＣＨでＰＤＳＣＨ  ＨＡＲＱ‐ＡＣＫ情報を送信する（ステップ２０６）。
【０１０６】
プライマリセルのみでＰＵＣＣＨが伝送される場合には、ＵＥ１０２は、プライマリセルのＰＵＣＣＨまたはＣｅｌｌ＿ＩＤが最も低いＰＵＳＣＨでＰＤＳＣＨ  ＨＡＲＱ‐ＡＣＫ情報を送信する（ステップ２０６）。一実装では、ＵＥ１０２は、ＰＣｅｌｌのＰＵＣＣＨまたはＣｅｌｌ＿ＩＤが最も低いＰＵＳＣＨで全てのセルのＰＤＳＣＨ  ＨＡＲＱ‐ＡＣＫを集約し、送信する（ステップ２０６）。
【０１０７】
構成されたＰＵＣＣＨ報告セルでＰＵＣＣＨが伝送される場合には、ＵＥ１０２は、ＰＵＣＣＨ報告セルのＰＵＣＣＨまたはＣｅｌｌ＿ＩＤが最も低いＰＵＳＣＨでＰＤＳＣＨ  ＨＡＲＱ‐ＡＣＫ情報を送信する（ステップ２０６）。一実装では、ＵＥ１０２は、ＰＵＣＣＨ報告セルのＰＵＣＣＨまたはＣｅｌｌ＿ＩＤが最も低いＰＵＳＣＨで全てのセルのＰＤＳＣＨ  ＨＡＲＱ‐ＡＣＫを集約し、送信する（ステップ２０６）。
【０１０８】
図３は、本明細書に開示されるシステムおよび方法にしたがって用いられる無線フレーム４３５の一例を示したダイヤグラムである。この無線フレーム４３５構造は、ＴＤＤ構造を示す。各無線フレーム４３５は、
【数１】
2016532328.tif 000003
ｍｓの長さを有し、式中、
Ｔｆ
は、無線フレーム４３５の持続時間であり、
Ｔｓ
は、
【数２】
2016532328.tif 000004
秒に等しい時間単位である。無線フレーム４３５は、二つのハーフフレーム４３３を含み、各ハーフフレームは、
【数３】
2016532328.tif 000005
ｍｓの長さを有する。各ハーフフレーム４３３は、五つのサブフレーム４２３ａ〜ｅ、４２３ｆ〜ｊを含み、各サブフレームが
【数４】
2016532328.tif 000006
ｍｓの長さを有する。
【０１０９】
ＴＤＤ  ＵＬ／ＤＬ構成０〜６が、（３ＧＰＰ  ＴＳ３６．２１１の表４．２‐２から）下表（１）に示される。ダウンリンクからアップリンクへのスイッチポイント周期が５ミリ秒（ｍｓ）および１０ｍｓの両方のＵＬ／ＤＬ構成がサポートされる。特に、下表（１）に示すように、３ＧＰＰ仕様において七つのＵＬ／ＤＬ構成が規定される。表（１）において、「Ｄ」はダウンリンクサブフレームを表し、「Ｓ」はスペシャルサブフレームを表し、「Ｕ」はＵＬサブフレームを表す。
【表１】
2016532328.tif 000007
【０１１０】
上表（１）において、無線フレームの各サブフレームに関し、「Ｄ」はサブフレームがダウンリンク伝送に予約されていることを示し、「Ｕ」はサブフレームがアップリンク伝送に予約されていることを示し、「Ｓ」は、ダウンリンクパイロットタイムスロット（ＤｗＰＴＳ；ｄｏｗｎｌｉｎｋ  ｐｉｌｏｔ  ｔｉｍｅ  ｓｌｏｔ）、ガード期間（ＧＰ；ｇｕａｒｄ  ｐｅｒｉｏｄ）およびアップリンクパイロットタイムスロット（ＵｐＰＴＳ；ｕｐｌｉｎｋ  ｐｉｌｏｔ  ｔｉｍｅ  ｓｌｏｔ）の三つのフィールドを含むスペシャルサブフレームを示す。ＤｗＰＴＳおよびＵｐＰＴＳの長さは、ＤｗＰＴＳ、ＧＰおよびＵｐＰＴＳの合計の長さが
【数５】
2016532328.tif 000008
ｍｓに等しいことを条件に、（３ＧＰＰ  ＴＳ３６．２１１の表４．２‐１から）表（２）に示される。表（２）においては、便宜上「サイクリックプレフィックス（ｃｙｃｌｉｃ  ｐｒｅｆｉｘ）」が「ＣＰ」と略記され、「構成（ｃｏｎｆｉｇｕｒａｔｉｏｎ）」は「Ｃｏｎｆｉｇ」と略記される。
【表２】
2016532328.tif 000009
【０１１１】
ダウンリンクからアップリンクへのスイッチポイント周期が５ｍｓおよび１０ｍｓの両方のＵＬ／ＤＬ構成がサポートされる。５ｍｓのダウンリンクからアップリンクへのスイッチポイント周期の場合、両方のハーフフレームにスペシャルサブフレームが存在する。１０ｍｓのダウンリンクからアップリンクへのスイッチポイント周期の場合、第一ハーフフレームにのみスペシャルサブフレームが存在する。サブフレーム０および５ならびにＤｗＰＴＳは、ダウンリンク伝送のために予約される。ＵｐＰＴＳおよびスペシャルサブフレームの直後のサブフレームは、アップリンク伝送のために予約される。
【０１１２】
本明細書に開示されるシステムおよび方法によれば、使用できるいくつかのタイプのサブフレーム４２３には、ダウンリンクサブフレーム、アップリンクサブフレームおよびスペシャルサブフレーム４３１が含まれる。図３に示した例では、周期が５ｍｓであり、無線フレーム４３５に二つの標準スペシャルサブフレーム４３１ａ〜ｂが含まれる。
【０１１３】
第一スペシャルサブフレーム４３１ａは、ダウンリンクパイロットタイムスロット（ＤｗＰＴＳ）４２５ａ、ガード期間（ＧＰ）４２７ａおよびアップリンクパイロットタイムスロット（ＵｐＰＴＳ）４２９ａを含む。この例では、第一標準スペシャルサブフレーム４３１ａは、サブフレーム一４２３ｂに含まれる。第二標準スペシャルサブフレーム４３１ｂは、ダウンリンクパイロットタイムスロット（ＤｗＰＴＳ）４２５ｂ、ガード期間（ＧＰ）４２７ｂおよびアップリンクパイロットタイムスロット（ＵｐＰＴＳ）４２９ｂを含む。この例では、第二標準スペシャルサブフレーム４３１ｂは、サブフレーム六４２３ｇに含まれる。ＤｗＰＴＳ４２５ａ〜ｂおよびＵｐＰＴＳ４２９ａ〜ｂの長さは、ＤｗＰＴＳ４２５、ＧＰ４２７およびＵｐＰＴＳ４２９の各セットの全体の長さが
【数６】
2016532328.tif 000010
ｍｓに等しいことを条件として、（上の表（２）に示した）３ＧＰＰ  ＴＳ３６．２１１の表４．２‐１により得られる。
【０１１４】
各サブフレームｉ  ４２３ａ〜ｊ（この例ではｉはサブフレーム零４２３ａ（例えば０）からサブフレーム九４２３ｊ（例えば９）までのサブフレームを表す）は、各サブフレーム４２３中の
【数７】
2016532328.tif 000011
ｍｓの長さの二つのスロット２ｉおよび２ｉ＋１として定義される。例えば、サブフレーム零（例えば０）４２３ａは、第一スロットを含む二つのスロットを含む。
【０１１５】
ダウンリンクからアップリンクへのスイッチポイント周期が５ｍｓおよび１０ｍｓの両方のＵＬ／ＤＬ構成が、本明細書に開示されるシステムおよび方法にしたがって使用される。図３は、スイッチポイント周期が５ｍｓの無線フレーム４３５の一例を示す。５ｍｓのダウンリンクからアップリンクへのスイッチポイント周期の場合、各ハーフフレーム４３３が、標準スペシャルサブフレーム４３１ａ〜ｂを含む。１０ｍｓのダウンリンクからアップリンクへのスイッチポイント周期の場合、スペシャルサブフレーム４３１は、第一ハーフフレーム４３３にのみ存在する。
【０１１６】
サブフレーム零（例えば０）４２３ａおよびサブフレーム五（例えば５）４２３ｆならびにＤｗＰＴＳ４２５ａ〜ｂは、ダウンリンク伝送のために予約される。ＵｐＰＴＳ４２９ａ〜ｂおよびスペシャルサブフレーム（単数または複数）４３１ａ〜ｂの直後のサブフレーム（単数または複数）（例えばサブフレーム二４２３ｃおよびサブフレーム七４２３ｈ）は、アップリンク伝送のために予約される。一部の実装では、ＵＣＩ伝送セルのＵＣＩ伝送アップリンクサブフレームを示すＤＬサブフレームアソシエーションのセットを決定するために、スペシャルサブフレーム４３１がＤＬサブフレームと考えられることに注意しなければならない。
【０１１７】
図４は、本明細書に記載のシステムおよび方法によるいくつかのＴＤＤ  ＵＬ／ＤＬ構成５３７ａ〜ｇを示したダイヤグラムである。七つの異なるＴＤＤ  ＵＬ／ＤＬ構成があり、いずれも異なるアソシエーションタイミングを有する。特に図４は、サブフレーム５２３ａとサブフレーム番号５３９ａとを有するＵＬ／ＤＬ構成零５３７ａ（例えば「ＵＬ／ＤＬ構成０」）、サブフレーム５２３ｂとサブフレーム番号５３９ｂとを有するＵＬ／ＤＬ構成一５３７ｂ（例えば「ＵＬ／ＤＬ構成１」）、サブフレーム５２３ｃとサブフレーム番号５３９ｃとを有するＵＬ／ＤＬ構成二５３７ｃ（例えば「ＵＬ／ＤＬ構成２」）、およびサブフレーム５２３ｄとサブフレーム番号５３９ｄとを有するＵＬ／ＤＬ構成三５３７ｄ（例えば「ＵＬ／ＤＬ構成３」）を示す。図４は、サブフレーム５２３ｅとサブフレーム番号５３９ｅとを有するＵＬ／ＤＬ構成四５３７ｅ（例えば「ＵＬ／ＤＬ構成４」）、サブフレーム５２３ｆとサブフレーム番号５３９ｆとを有するＵＬ／ＤＬ構成五５３７ｆ（例えば「ＵＬ／ＤＬ構成５」）、およびサブフレーム５２３ｇとサブフレーム番号５３９ｇとを有するＵＬ／ＤＬ構成六５３７ｇ（例えば「ＵＬ／ＤＬ構成６」）も示す。
【０１１８】
図４は、ＰＤＳＣＨ  ＨＡＲＱ‐ＡＣＫアソシエーション５４１（例えばＰＵＣＣＨまたはＰＵＳＣＨアソシエーションについてのＰＤＳＣＨ  ＨＡＲＱ‐ＡＣＫフィードバック）をさらに示す。ＰＤＳＣＨ  ＨＡＲＱ‐ＡＣＫアソシエーション５４１は、ＰＤＳＣＨ伝送のためのサブフレーム（例えばＰＤＳＣＨ伝送が送信および／または受信されるサブフレーム）に対応するＨＡＲＱ‐ＡＣＫ報告サブフレームを示す。図４に示される無線フレームの一部は、便宜上切り捨てられていることに注意しなければならない。
【０１１９】
本明細書に開示されるシステムおよび方法は、図４に示されるＵＬ／ＤＬ構成５３７ａ〜ｇの一つ以上に適用される。例えば、図４に示されたＵＬ／ＤＬ構成５３７ａ〜ｇのうちの一つに対応する一つ以上のＰＤＳＣＨ  ＨＡＲＱ‐ＡＣＫアソシエーション５４１が、ＵＥ１０２とｅＮＢ１６０との間の通信に適用される。例えば、ＵＬ／ＤＬ構成５３７が、ＰＣｅｌｌに決定（例えば指定、適用）される。この場合、ＰＤＳＣＨ  ＨＡＲＱ‐ＡＣＫアソシエーション５４１が、ＰＣｅｌｌに対応するＨＡＲＱ‐ＡＣＫフィードバック伝送のＰＤＳＣＨ  ＨＡＲＱ‐ＡＣＫタイミング（例えばＨＡＲＱ‐ＡＣＫ報告サブフレーム）を特定する。ＳＣｅｌｌ  ＨＡＲＱ‐ＡＣＫフィードバック伝送については、フィードバックパラメータにしたがったＤＬ参照ＵＬ／ＤＬ構成に対応するＰＤＳＣＨ  ＨＡＲＱ‐ＡＣＫアソシエーション５４１が利用される。
【０１２０】
ＰＤＳＣＨ  ＨＡＲＱ‐ＡＣＫアソシエーション５４１は、ＰＤＳＣＨに対応するＨＡＲＱ‐ＡＣＫ情報を受信するための特定の（ＰＤＳＣＨ  ＨＡＲＱ‐ＡＣＫ）タイミングを特定する。ＰＤＳＣＨ  ＨＡＲＱ‐ＡＣＫアソシエーション５４１は、ＵＥ１０２がＰＤＳＣＨに対応するＨＡＲＱ‐ＡＣＫ情報をｅＮＢ１６０に報告（例えば伝送）する報告サブフレームを特定する。報告サブフレームは、ｅＮＢ１６０により送信されるＰＤＳＣＨを含むサブフレームに基づいて決定される。
【０１２１】
全てのＴＤＤ  ＵＬ／ＤＬ構成のためのダウンリンクアソシエーションセットおよびＰＤＳＣＨ  ＨＡＲＱ‐ＡＣＫ伝送タイミングが、図４に示される。（３ＧＰＰＴＳ  ３６．２１３の表１０．１．３．１‐１からの）表（３）が、ＴＤＤ  ＤＬアソシエーションセットを提供する。特に表（３）は、ＴＤＤのＤＬアソシエーションセットインデックスＫ：｛ｋ０，ｋ１，．．．ｋＭ−１｝を提供する。
【表３】
2016532328.tif 000012
【０１２２】
異なるＵＬ／ＤＬ構成を有するバンド間ＴＤＤ  ＣＡでは、一つのＴＤＤ  ＳＣｅｌｌのアソシエーションタイミングは、ＤＬ参照ＵＬ／ＤＬ構成のタイミングにしたがいうる。ＤＬ参照ＵＬ／ＤＬ構成は、所与のＳＣｅｌｌのＴＤＤ  ＵＬ／ＤＬ構成と同じであるかまたは異なる。
【０１２３】
ＰＤＳＣＨスケジューリングは、対応するＰＤＣＣＨフォーマットにより実行される。Ｒｅｌｅａｓｅ‐１１およびそれ以降のＵＥでは、ＰＤＳＣＨのスケジューリングにエンハンストＰＤＣＣＨ（ｅＰＤＣＣＨ）が用いられてもよい。ＣＡセルのＰＤＳＣＨ  ＨＡＲＱ‐ＡＣＫ情報は、一つのサービングセルのＰＵＣＣＨまたはＰＵＳＣＨのみで報告されうる。一実装では、ＰＣｅｌｌのみでＰＵＣＣＨ報告が搬送される。ＰＵＳＣＨ報告に関しては、Ｃｅｌｌ＿ＩＤが最も低いセルのＰＵＳＣＨでＰＤＳＣＨ  ＨＡＲＱ‐ＡＣＫ情報が報告される。
【０１２４】
既知の解法（例えば、Ｒｅｌｅａｓｅ‐１１）によれば、ＵＥ１０２は、複数のＴＤＤサービングセルを用いて構成されてもよい。少なくとも二つのサービングセルが異なるＴＤＤ  ＵＬ／ＤＬ構成を有し、サービングセルがプライマリセルである場合、プライマリセルＵＬ／ＤＬ構成はサービングセルのＤＬ参照ＵＬ／ＤＬ構成である。
【０１２５】
既知の解法によれば、少なくとも二つのサービングセルが異なるＴＤＤ  ＵＬ／ＤＬ構成を有し、サービングセルがセカンダリセルであってもよい。プライマリセルＵＬ／ＤＬ構成、サービングセルＵＬ／ＤＬ構成により形成される対が、（３ＧＰＰ  ＴＳ３６．２１３の表１０．２‐１からの）表（４）のセット１に属する場合、サービングセルのＤＬ参照ＵＬ／ＤＬ構成は、表（４）の対応するセットおいて定義される。ＵＥ１０２が、別のサービングセルの物理ダウンリンク制御チャネル（ＰＤＣＣＨ）またはエンハンスト物理ダウンリンク制御チャネル（ＥＰＤＣＣＨ；ｅｎｈａｎｃｅｄ  ｐｈｙｓｉｃａｌ  ｄｏｗｎｌｉｎｋ  ｃｏｎｔｒｏｌ  ｃｈａｎｎｅｌ）をそのサービングセルのスケジューリングに合わせモニタするように構成されない場合、およびプライマリセルＵＬ／ＤＬ構成、サービングセルＵＬ／ＤＬ構成により形成される対が、表（４）のセット２またはセット３に属する場合には、サービングセルのＤＬ参照ＵＬ／ＤＬ構成は、表（４）の対応するセットにおいて定義される。ＵＥ１０２が、別のサービングセルのＰＤＣＣＨ／ＥＰＤＣＣＨをそのサービングセルのスケジューリングに合わせモニタするように構成される場合、およびプライマリセルＵＬ／ＤＬ構成、サービングセルＵＬ／ＤＬ構成により形成される対が表（４）のセット４またはセット５に属する場合には、サービングセルのＤＬ参照ＵＬ／ＤＬ構成は表（４）の対応するセットにおいて定義される。
【表４】
2016532328.tif 000013
【０１２６】
既知の解法によれば、ＵＥ１０２が複数のサービングセルで構成される場合、および少なくとも二つのサービングセルが異なるＵＬ／ＤＬ構成を有する場合、および少なくとも一つのサービングセルのＤＬ参照ＵＬ／ＤＬ構成がＴＤＤ  ＵＬ／ＤＬ構成５である場合には、ＵＥ１０２が二つより多いサービングセルで構成されることは期待されない。ＵＥ１０２が一つのサービングセルで構成されるか、またはＵＥ１０２が一つより多いサービングセルで構成され、全てのサービングセルのＵＬ／ＤＬ構成が同じである場合、ＵＥ１０２は、ＵＥ１０２への、ＨＡＲＱ‐ＡＣＫ応答が提供される対象となるサブフレーム（単数または複数）ｎ−ｋ内のＰＤＳＣＨ伝送の検出時にＵＬサブフレームｎでＰＤＳＣＨ  ＨＡＲＱ‐ＡＣＫ応答を伝送し、
ｋ∈Ｋ
であり、Ｋは表（３）に定義される。
【０１２７】
さらに、周知の解法によれば、ＵＥ１０２が複数のサービングセルで構成される場合、および少なくとも二つのサービングセルが異なるＵＬ／ＤＬ構成を有する場合には、ＵＥ１０２は、ＫｃはＵＥ１０２への、ＨＡＲＱ‐ＡＣＫ応答が提供される対象となる、サービングセルｃのサブフレーム（単数または複数）ｎ−ｋ内のＰＤＳＣＨ伝送の検出時にＵＬサブフレームｎでＰＤＳＣＨ  ＨＡＲＱ‐ＡＣＫ応答を伝送し、
ｋ∈Ｋｃ
である。セットＫｃは、サブフレームｎ−ｋがサービングセルｃのＤＬサブフレームまたはスペシャルサブフレームに対応するような、
ｋ∈Ｋ
の値を含む。表（３）（表（３）の「ＵＬ／ＤＬ構成」は「ＤＬ参照ＵＬ／ＤＬ構成」を指す）に定義されるＫは、サブフレームｎと関連付けられる。
【０１２８】
一実装では、ＨＡＲＱ‐ＡＣＫの繰り返しが有効にされる。
ｋ∈Ｋ
でありＫは表（３）に定義される、ＵＥ１０２への、ＨＡＲＱ‐ＡＣＫ応答が提供される対象となるサブフレーム（単数または複数）ｎ−ｋ内のＰＤＳＣＨ伝送の検出時に、ＵＥ１０２がサブフレームｎ−ｋより前のＤＬサブフレームでのＰＤＳＣＨ伝送に対応するサブフレームｎでのいずれのＨＡＲＱ‐ＡＣＫの伝送も繰り返さない場合には、ＵＥ１０２は、ＵＬサブフレームｎおよびそれに続く
【数８】
2016532328.tif 000014
と表される
【数９】
2016532328.tif 000015
のＵＬサブフレームのＰＵＣＣＨで（サブフレームｎ−ｋの検出されたＰＤＳＣＨ伝送に対応する）ＨＡＲＱ‐ＡＣＫ応答だけを伝送する。ＵＥ１０２は、ＵＬサブフレーム
【数１０】
2016532328.tif 000016
でその他の信号を伝送しない。さらに、ＵＥ１０２は、サブフレームｎｉ‐ｋの検出されたいずれのＰＤＳＣＨ伝送に対応するいずれのＨＡＲＱ‐ＡＣＫ応答の繰り返しも伝送せず、ここで
ｋ∈Ｋｉ
であり、ＫｉはＵＬサブフレームｎｉに対応する表（３）に定義されたセットであり、
【数１１】
2016532328.tif 000017
である。
【０１２９】
ＴＤＤ  ＨＡＲＱ‐ＡＣＫバンドリング関しては、ＵＥ１０２が少なくとも一つのダウンリンク割当が欠落したことを検出した場合に、ＨＡＲＱ‐ＡＣＫが所与のサブフレームに存在する唯一のアップリンク制御情報（ＵＣＩ）である場合には、ＵＥ１０２はＰＵＣＣＨでＨＡＲＱ‐ＡＣＫ情報を伝送することができない。ダウンリンク半持続的スケジューリング（ＳＰＳ；ｓｅｍｉ‐ｐｅｒｓｉｓｔｅｎｔ  ｓｃｈｅｄｕｌｉｎｇ）リリースを示す検出されたＰＤＣＣＨ／ＥＰＤＣＣＨに対応するＡＣＫのアップリンクタイミングは、検出されたＰＤＳＣＨに対応するＨＡＲＱ‐ＡＣＫのアップリンクタイミングと同じでありうる。
【０１３０】
図５は、ＦＤＤセルのアソシエーションタイミングを示す。ＦＤＤセルは、対をなすダウンリンクサブフレーム６４３とアップリンクサブフレーム６４５とを含む。ＦＤＤセルについてのＰＤＳＣＨ  ＨＡＲＱ‐ＡＣＫアソシエーション６４１が示される。ＰＤＳＣＨ  ＨＡＲＱ‐ＡＣＫアソシエーション６４１は、ＰＤＳＣＨ伝送のためのサブフレーム（例えばＰＤＳＣＨ伝送が送信および／または受信されるサブフレーム）に対応するＨＡＲＱ‐ＡＣＫ報告サブフレームを示す。一部の実装では、ＰＤＳＣＨ  ＨＡＲＱ‐ＡＣＫ報告は、ＰＵＣＣＨまたはＰＵＳＣＨで生じる。
【０１３１】
固定の４ｍｓの間隔が、ＰＤＳＣＨ  ＨＡＲＱ‐ＡＣＫアソシエーション６４１に適用されてもよい。一実装では、ダウンリンクサブフレーム６４３およびアップリンクサブフレーム６４５の各々は１ｍｓである。したがって、サブフレームｍ＋４のＰＤＳＣＨ  ＨＡＲＱ‐ＡＣＫ伝送は、サブフレームｍのＰＤＳＣＨ伝送に関連付けられる。同様に、サブフレームｎ−４のＰＤＳＣＨ伝送は、サブフレームｎのＰＤＳＣＨ  ＨＡＲＱ‐ＡＣＫ伝送に関連付けられる。
【０１３２】
既知の解法（例えばＲｅｌｅａｓｅ‐１１）によれば、ＦＤＤでは、ＵＥ１０２は、ＵＥ１０２への、ＨＡＲＱ‐ＡＣＫが提供される対象となるサブフレームｎ−４でのＰＤＳＣＨ伝送の検出時に、サブフレームｎでＨＡＲＱ‐ＡＣＫ応答を伝送することができる。ＨＡＲＱ‐ＡＣＫの繰り返しが有効にされた場合、ＵＥ１０２への、ＨＡＲＱ‐ＡＣＫ応答が提供される対象となるサブフレームｎ−４でのＰＤＳＣＨ伝送の検出時に、ＵＥ１０２がサブフレーム
【数１２】
2016532328.tif 000018
でのＰＤＳＣＨ伝送に対応するサブフレームｎのＨＡＲＱ‐ＡＣＫの伝送を繰り返さない場合には、ＵＥ１０２は、サブフレーム
【数１３】
2016532328.tif 000019
のＰＵＣＣＨで（サブフレームｎ−４での検出されたＰＤＳＣＨ伝送に対応する）ＨＡＲＱ‐ＡＣＫ応答だけを伝送する。ＵＥ１０２は、サブフレーム
【数１４】
2016532328.tif 000020
で他の信号を伝送しない。さらに、ＵＥ１０２は、サブフレーム
【数１５】
2016532328.tif 000021
で検出されたいずれのＰＤＳＣＨ伝送に対応するいずれのＨＡＲＱ‐ＡＣＫ応答の繰り返しも伝送しない。
【０１３３】
図６は、オフセット値を用いたまたは用いないＦＤＤセルに対するＴＤＤ構成の例を示す。ＴＤＤ‐ＦＤＤ  ＣＡの重要な問題は、ＰＤＳＣＨ  ＨＡＲＱ‐ＡＣＫ報告である。ＣＡシナリオは、理想的なバックホールを仮定する。したがって、一つの報告セル（例えばＰＣｅｌｌ）のＰＵＣＣＨでフィードバック情報が集約され、伝送される。さらに、パスロスがより小さいＳＣｅｌｌが、ＵＬ報告セルとして構成される。したがって、報告セルでＰＵＣＣＨが報告される。上位レイヤシグナリング（例えばＲＲＣ）によって報告セルが構成される。
【０１３４】
ＦＤＤセルがＰＣｅｌｌまたは報告セルである場合、ＦＤＤセルは全てのサブフレームにＵＬを有するため、ＦＤＤ  ＨＡＲＱ‐ＡＣＫタイミングがＴＤＤセルに直接適用されうる。このようにして、ＴＤＤセルのサブフレームｎのＰＤＳＣＨ伝送が、サブフレームｎ＋４のＵＬサブフレームで（例えばＦＤＤ  ＰＣｅｌｌまたは報告セルのＰＵＣＣＨで）報告される。あるいは、ＴＤＤセルはＴＤＤセル自体のＨＡＲＱ‐ＡＣＫタイミングを維持し、ＵＬサブフレームで（例えばＦＤＤ  ＰＣｅｌｌまたは報告セルのＰＵＣＣＨで）ＰＤＳＣＨ  ＨＡＲＱ‐ＡＣＫビットが他のセルと一緒に集約され、報告される。
【０１３５】
ＴＤＤセルがＰＣｅｌｌまたは報告セルである場合、ＴＤＤ構成がＦＤＤセルに適用されうる。ＴＤＤセルでのＰＤＳＣＨ  ＨＡＲＱ‐ＡＣＫ報告のための他の方法は、無線フレームがＴＤＤおよびＦＤＤセルで同期されると仮定する。これらの方法では、ＦＤＤセルでの、ＴＤＤ構成ＤＬアソシエーションセットおよびＨＡＲＱ‐ＡＣＫタイミングの再使用が簡単である。しかし、全てのＴＤＤ構成が無線フレームレベルで同期されるため、ＦＤＤセルのＤＬサブフレームの一部がセルのＴＤＤ‐ＦＤＤ  ＣＡ  ＵＥのいずれへのＰＤＳＣＨ伝送にも使用されず、これによりＤＬリソースの不必要な損失が生じうる。さらに、ＰＣｅｌｌまたは報告セルのＵＬサブフレームの一部は複数のセルまたは複数のＵＥからのＨＡＲＱ‐ＡＣＫビットでオーバーロードされる一方で、他のＵＬサブフレームは制限されたＨＡＲＱ‐ＡＣＫ報告を有する。
【０１３６】
したがって、ＨＡＲＱ‐ＡＣＫ報告をＴＤＤ  ＰＣｅｌｌまたは報告セルのＵＬサブフレームにより均一に分散することが望ましい。さらに、異なるＵＥへのＰＤＳＣＨ伝送のための異なるＤＬサブフレームを制限できれば、ｅＮＢはスケジューリングにより柔軟性を有し、その結果より良好なＤＬリソース利用を達成することができる。
【０１３７】
ＴＤＤ  ＵＬ／ＤＬ構成は、ＦＤＤセルに対して構成されたオフセット値（またはサブフレームシフト値）を含むことができる。オフセット値
δ
が、ＤＬアソシエーションセットおよびＨＡＲＱ‐ＡＣＫタイミングに適用される。ＴＤＤ  ＵＬ／ＤＬ構成により構成されたＦＤＤについては、サブフレームｎのダウンリンクアソシエーションセットおよびＨＡＲＱ‐ＡＣＫは上表（３）に基づいて決定されるが、サブフレームインデックスは、表（５）に示すようにサブフレームｎを
（ｎ−δ）
に置き換えることによって決定される。
【表５】
2016532328.tif 000022
【０１３８】
サブフレーム番号ｎは、セルに依存する。同期されたネットワークでは、ＣＡの全てのセルの間で無線フレームが同期される。所与のサブフレームｎｃにおいて、セルｃのサブフレームインデックスｎｃは他のセルと同じである。無線フレームは常に１０個のサブフレームを有するため、サブフレームインデックスは０〜９の範囲である。
【０１３９】
図６には、ＵＬ／ＤＬ構成１を使用するＴＤＤ  ＰＣｅｌｌが示され、ＵＬ／ＤＬ構成２を使用するＦＤＤ  ＳＣｅｌｌが示される。オフセット値が構成されないときには、ＦＤＤ  ＳＣｅｌｌは、ＵＬ／ＤＬ構成２に基づくＤＬアソシエーションセットおよびＨＡＲＱ‐ＡＣＫタイミングにしたがう。したがって、ＦＤＤ  ＳＣｅｌｌのＨＡＲＱ‐ＡＣＫビットは、ＴＤＤ  ＰＣｅｌｌサブフレームインデックスに基づいてサブフレーム２および７で報告される。オフセット値
δ＝１
が構成され適用されるときには、ＦＤＤ  ＳＣｅｌｌは、ＵＬ／ＤＬ構成２に基づくＤＬアソシエーションセットおよびＨＡＲＱ‐ＡＣＫタイミングになおしたがう。しかし、オフセットがある場合、サブフレームｎのアソシエーションは、
（ｎ−δ）
によって決定される。したがって、ＦＤＤ  ＳＣｅｌｌのＨＡＲＱ‐ＡＣＫビットは、代わりにＴＤＤ  ＰＣｅｌｌサブフレームインデックスに基づいてサブフレーム３および８で報告される。
【０１４０】
オフセット値の使用は、いくつかの利点を提供する。例えば複数のＦＤＤ  ＳＣｅｌｌを用いたＴＤＤ‐ＦＤＤ  ＣＡの場合には、異なるオフセット値を適用することにより、異なるＦＤＤセルのＨＡＲＱ‐ＡＣＫビットを異なるＵＬサブフレームに分散することができ、ＰＵＣＣＨまたはＰＵＳＣＨ  ＨＡＲＱ‐ＡＣＫ報告のペイロードサイズが減少する。別の例として、サービングセルの複数のＵＥによるＴＤＤ‐ＦＤＤ  ＣＡの場合には、ｅＮＢが異なるＵＥに異なるオフセット値を適用しうる。したがって、異なるＵＥのＦＤＤセルが異なるＵＬサブフレームで報告されうるため、ＵＥの間でＰＵＣＣＨリソースのバランスをとるのに役立つ。
【０１４１】
図７は、複数のＦＤＤ  ＳＣｅｌｌを用いたＴＤＤ‐ＦＤＤ  ＣＡにおけるオフセット使用の例を示す。図７には、ＵＬ／ＤＬ構成１を使用するＴＤＤ  ＰＣｅｌｌおよびＵＬ／ＤＬ構成２を使用する二つのＦＤＤ  ＳＣｅｌｌが示される。この構成では、ＳＣｅｌｌ１に対してはオフセット値が構成されず、ＳＣｅｌｌ２に対してはオフセット
δ＝１
が構成され適用される。したがって、ＴＤＤ  ＰＣｅｌｌサブフレームインデックスに基づいて、ＳＣｅｌｌ１のＨＡＲＱ‐ＡＣＫビットはサブフレーム２および７で報告され、ＳＣｅｌｌ２のＨＡＲＱ‐ＡＣＫビットはサブフレーム３および８で報告される。図７に示される例では、異なるＵＬサブフレーム全体でＨＡＲＱ‐ＡＣＫペイロードのバランスがとられる。
【０１４２】
図８は、ＴＤＤ‐ＦＤＤ  ＣＡ  ＵＥでの異なるオフセット値の例を示す。図８には、ＵＬ／ＤＬ構成１を使用するＴＤＤ  ＰＣｅｌｌおよびＵＬ／ＤＬ構成２を使用するＦＤＤ  ＳＣｅｌｌを有する二つのＵＥが示される。この構成では、ＵＥ１に対してはオフセット値が構成されず、ＵＥ２に対してはオフセット
δ＝１
が構成され適用される。したがって、ＴＤＤ  ＰＣｅｌｌサブフレームインデックスに基づいて、ＵＥ１のＦＤＤ  ＳＣｅｌｌのＨＡＲＱ‐ＡＣＫビットはサブフレーム２および７で報告され、ＵＥ２のＨＡＲＱ‐ＡＣＫビットはサブフレーム３および８で報告される。異なるオフセット値を使用することは、ＴＤＤ  ＰＣｅｌｌの異なるＵＬサブフレームにおけるＨＡＲＱ‐ＡＣＫペイロードのバランスをとるのに役立ちうる。
【０１４３】
ＦＤＤセルにＴＤＤ  ＵＬ／ＤＬ構成タイミングを適用することにより、ＨＡＲＱ‐ＡＣＫ報告のためのＤＬアソシエーションを持たないいくつかのサブフレームが存在しうる。ＵＥはＦＤＤセルのこれらのＤＬサブフレームを、ＨＡＲＱ‐ＡＣＫフィードバックを要するＰＤＳＣＨ伝送に使用することができない。例えば図８では、ＤＬサブフレーム２および７は、ＵＥ１へのＰＤＳＣＨ伝送に利用されることができない。ＵＥ２ではオフセットを適用することにより、制限されたＤＬサブフレームがシフトされる。そのため、サブフレーム３および８（サブフレームのインデックス
ｎ−δ
が２および７に等しい）は、ＵＥ２へのＰＤＳＣＨ伝送のためにスケジューリングされることができない。したがって、ｅＮＢは、所与のＵＥに関して制限されたサブフレームにおいて異なるＵＥへのＰＤＳＣＨ伝送をスケジューリングすることができる。そのため、ＤＬリソースが無駄にならない。
【０１４４】
オフセットが構成され有効にされる場合、オフセット範囲が定義されなければならない。０のオフセットは、オフセットなしと同じである。無線フレームは１０個のサブフレームを有するため、一構成においては、オフセット値は（両端値を含めて）０〜９の範囲をとることができる。別の構成では、オフセット値は（両端値を含めて）−４〜５の範囲をとることができる。
【０１４５】
ＦＤＤセルに対するＴＤＤ  ＵＬ／ＤＬ構成に対してオフセット値が構成される場合、ＵＥは、そのＦＤＤセルのＤＬ参照ＵＬ／ＤＬ構成と所与のオフセット値に基づいてそのＦＤＤセルのＤＬアソシエーションセットおよびＨＡＲＱ‐ＡＣＫ報告を決定しなければならない。ＦＤＤ  ＳＣｅｌｌのＤＬ参照ＵＬ／ＤＬ構成は、いくつかの方法を使用して決定できる。例えばＦＤＤ  ＳＣｅｌｌのＤＬ参照ＵＬ／ＤＬ構成が直接構成され、ＦＤＤセルのＴＤＤ  ＵＬ／ＤＬ構成として適用されてもよい。この場合、オフセットを有するＵＬ／ＤＬ構成のＵＬサブフレームがＴＤＤ  ＰＣｅｌｌまたは報告セルのＴＤＤ／ＤＬ構成のＵＬサブフレームのサブセットであるように、ＦＤＤセルの構成されたＵＬ／ＤＬ構成が選択されなければならない。
【０１４６】
別の例として、ＴＤＤ  ＰＣｅｌｌまたは報告セルＵＬ／ＤＬ構成およびＦＤＤセルのオフセットを有する構成されたＵＬ／ＤＬ構成のオーバーラップするＵＬサブフレームに基づいてＤＬ参照ＵＬ／ＤＬ構成が導出される。この場合、オフセットを有するＵＬ／ＤＬ構成のＵＬサブフレームがＴＤＤ  ＰＣｅｌｌまたは報告セルのＴＤＤ  ＵＬ／ＤＬ構成との一つ以上のオーバーラップするＵＬサブフレームを有するように、ＦＤＤセルの構成されたＵＬ／ＤＬ構成が選択されなければならない。オーバーラップするＵＬサブフレームがない場合、オフセット値は無効であり、無視されなければならない。
【０１４７】
図９は、ＴＤＤ  ＰＣｅｌｌがＵＬ／ＤＬ構成１で構成される場合の、ＦＤＤ  ＳＣｅｌｌに対する考えられるＵＬ／ＤＬ構成およびオフセット値の例を示す。オフセットの使用は、ＴＤＤ‐ＦＤＤ  ＣＡにおけるＦＤＤセルのＤＬサブフレーム配分およびＨＡＲＱ‐ＡＣＫ報告に、より大きな柔軟性を提供する。
【０１４８】
図１０は、ＴＤＤ  ＵＬ／ＤＬ構成およびオフセットによるＦＤＤセルＤＬ参照構成の例を示す。ＴＤＤ  ＰＣｅｌｌまたは報告セルのＵＬ／ＤＬ構成とオフセットを有するＵＬ／ＤＬ構成との間のオーバーラップするＵＬサブフレームによって、ＤＬ参照ＵＬ／ＤＬ構成およびタイミングオフセットが決定される。図１０は、ＦＤＤ  ＳＣｅｌｌのＤＬ参照ＵＬ／ＤＬ構成を決定するステップの例を示す。この例では、ＴＤＤ  ＰＣｅｌｌにＴＤＤ  ＵＬ／ＤＬ構成１が使用され、同じ構成が異なるオフセット値を用いてＦＤＤ  ＳＣｅｌｌに適用される。
【０１４９】
第一の例ａでは、オフセット
δ
は１であり、オーバーラップするＵＬが１のオフセット値を有するＴＤＤ  ＵＬ／ＤＬ構成２を形成する。したがって、ＦＤＤ  ＳＣｅｌｌのＤＬ参照ＵＬ／ＤＬ構成は、オフセット
δ＝１
を有するＵＬ／ＤＬ構成である。第二の例ｂでは、オフセット
δ
は４（オフセット範囲が０〜９の場合）または−１（オフセット範囲が−４〜５の場合）である。オーバーラップするＵＬがオフセットを有しないＴＤＤ  ＵＬ／ＤＬ構成２を形成する（すなわち、
δ＝０
である）。したがって、ＦＤＤ  ＳＣｅｌｌのＤＬ参照ＵＬ／ＤＬ構成は、オフセットを有しないＵＬ／ＤＬ構成である。
【０１５０】
図１１は、ＦＤＤセルＤＬ参照構成の例を非標準のオーバーラップするＵＬパターンとともに示す。オーバーラップするＵＬサブフレームが標準のＵＬ／ＤＬ構成ではないパターンを形成する場合、オーバーラップするＵＬサブフレームより少ないＵＬサブフレームを有する既存の七つのＵＬ／ＤＬ構成からＤＬ参照ＵＬ／ＤＬ構成が選択されなければならない。図の例では、ＰＣｅｌｌがＵＬ／ＤＬ構成１を使用し、ＦＤＤ  ＳＣｅｌｌが−１のオフセット（または使用されるオフセット範囲方法によっては９のオフセット）を有するＵＬ／ＤＬ構成６により構成される。オーバーラップするＵＬは、標準ＵＬ／ＤＬ構成でないパターンを形成する。したがって、より少ないＵＬサブフレームを有する標準ＵＬ／ＤＬ構成が、ＤＬ参照構成として使用されなければならない。この例では、オフセットを有しないＵＬ／ＤＬ構成２が、ＦＤＤ  ＳＣｅｌｌのＤＬ参照構成として決定される。
【０１５１】
ＦＤＤセルおよびＴＤＤセルは、異なる同期要件を有する。ＴＤＤでは、同じ周波数キャリア上の隣接セルからの異なる伝送指示による干渉を回避するために、無線フレームがタイトに同期されなければならない。しかし、ＦＤＤでは無線フレーム同期はさほど重要ではない。
【０１５２】
ＴＤＤ‐ＦＤＤ  ＣＡでは、セルが同じスケジューラによってスケジューリングされうる。したがって、ＦＤＤセルとＴＤＤセルとの間で無線フレームが同期されることが期待される。しかし、ＴＤＤセルとＦＤＤセルとの間で無線フレームが同期されない場合、ＴＤＤと同じ同期要件がＦＤＤにも適用されればコストが大きくなる。したがって、ＴＤＤ‐ＦＤＤ  ＣＡにおいてＴＤＤセルおよびＦＤＤセルの同期されない無線フレームが存在しうる。これにより、特にＴＤＤタイミングがＦＤＤセルに適用されるときに、タイミングの問題に混乱が生じうる。
【０１５３】
ＴＤＤ‐ＦＤＤ  ＣＡにおいて、サブフレーム番号ｎはセルに依存しうる。異なるセルは、同じＴＴＩ内の異なるサブフレーム番号ｎを有しうる。セルが無線フレームレベルで同期されない場合、セルｃのサブフレーム番号ｎｃが他のセルと潜在的に異なるだけでなく、セルｃのサブフレームｎｃのサブフレームインデックスも他のセルと異なりうる。無線フレームは常に１０個のサブフレームを有するため、サブフレームインデックスは０〜９の範囲でありうる。
【０１５４】
無線フレームが同期されない場合、同じ方法が適用されうるが、サブフレームインデックス番号は異なる。したがって、ＦＤＤセルの実際のサブフレームインデックス番号を決定するために、ＴＤＤインデックステーブルにオフセット値が加えられなければならない。オフセット値
δ１
を適用して、ＴＤＤ構成がＦＤＤセルに適用されるときにタイミング参照を同期させることができる。オフセット値
δ１
は、サブフレームインデックス同期のためにＳＣｅｌｌでシフトされるべきＴＴＩまたはサブフレームの数を示しうる。無線フレーム同期オフセット
δ１
は、同期信号に基づいてｅＮＢおよびＵＥにより自動的に導出され、または無線フレーム同期オフセット
δ１
は、ｅＮＢによりＵＥにシグナリングされる。
【０１５５】
無線フレーム同期のために（およびサービングセルｃに関して）、オフセット
δ１ｃ
が、ｅＮＢにより、無線フレームアライメント差に基づいて構成されうる。オフセット
δ１ｃ
は、ＵＥにより、サービングセルｃおよびＰＣｅｌｌからの同期チャネルに基づいて（すなわちＰＳＳ／ＳＳＳ信号を検出することにより）決定されてもよい。それからＵＥは、異なるセルの無線フレーム位置を取得し、それに応じて
δ１ｃ
のオフセット値を計算することができる。
【０１５６】
ＰＣｅｌｌまたは報告セルがＴＤＤセルである場合、ＴＤＤ構成オフセット
δｃ
を有するＴＤＤ  ＵＬ／ＤＬ構成を使用するＦＤＤサービングセルｃに関しては、ＦＤＤセルのサブフレームｎｃのダウンリンクアソシエーションセットおよびＨＡＲＱ‐ＡＣＫは上表（３）に基づいて決定される一方、サブフレームインデックスは、サブフレームｎをサブフレーム（
ｎｃ−δｃ
）で置き換えることにより決定される。
【０１５７】
サービングセルｃに関して、無線フレーム同期オフセット
δ１ｃ
およびＵＬ／ＤＬ構成オフセット
δｃ
の両方が必要である場合、セルインデックス０を有するＴＤＤ  ＰＣｅｌｌ（または報告セル）のサブフレームｎ０のダウンリンクアソシエーションセットおよびＨＡＲＱ‐ＡＣＫは、上表（３）に基づいて決定される一方、サブフレームインデックスは、サブフレームｎをサブフレーム（
ｎ０−δｃ−δ１ｃ
）で置き換えることにより決定される。換言すれば、サブフレームｎをサブフレーム（
ｎｃ−δｃ
）で置き換えることにより、サービングセルｃでの相対位置は同じままである。別の方法では、全体のオフセット
δ２ｃ＝（δ１ｃ＋δｃ）
がサービングセルｃに関して定義されうる。
【０１５８】
したがって、
δ１ｃ
は、ＦＤＤ  ＳＣｅｌｌ  ｃとＴＤＤ  ＰＣｅｌｌとの間の無線フレームのサブフレームオフセット値であり、
δ２ｃ
は、ＴＤＤ  ＰＣｅｌｌ無線フレームインデックスからのＦＤＤ  ＳＣｅｌｌのダウンリンクアソシエーションセットのサブフレームオフセット値である。サブフレーム
（ｎｃ−δｃ）
が定義され、ｎｃは、対象サービングセル（例えばＦＤＤ  ＳＣｅｌｌ）のサブフレーム番号であり、
δｃ
は、サービングセルの無線フレームからのサービングセルのダウンリンクアソシエーションセットのサブフレームオフセット値である。サブフレームｎをサブフレーム
（ｎｃ−δｃ）
で置き換えることにより、サブフレームインデックスが決定される。
δ１ｃ
は、ｎ０のサブフレームインデックス−ｎｃのサブフレームインデックスであり、ここでｎ０は、セルインデックスｃ＝０を有するＰＣｅｌｌサービングセルのサブフレームインデックス番号であり、ｎｃは、サービングセルインデックスｃのサブフレームインデックス番号である。仮に
δ１ｃ＝０
ならば、サービングセルｃはＰＣｅｌｌセル０と同期され、
δｃ＝δ２ｃ
である。ｎｃを用いることにより、ＨＡＲＱ‐ＡＣＫタイミングに対応するサービングセルとＨＡＲＱ‐ＡＣＫが伝送されるサービングセルとを切り離すことが可能である。ＨＡＲＱ‐ＡＣＫタイミングは各サービングセルにおいて考慮され、サブフレームｎ１で伝送されるべきサービングセル＃１のＨＡＲＱ‐ＡＣＫがサービングセル＃０のサブフレームｎ０で伝送され、
ｎ０−ｎ１＝δ１ｃ
はＵＥおよびｅＮＢに知られている。
【０１５９】
無線フレーム同期オフセット
δ１
が、ＵＥにより同期信号を使用して決定される場合、ＴＤＤ  ＵＬ／ＤＬ構成により構成されたＦＤＤセルに関してＴＤＤ構成オフセット
δ
だけがシグナリングされればよい。一構成では、全体のオフセット
δ２
だけがシグナリングされ、ＵＥが、ＴＤＤ構成オフセット
δ
を、
δ２
と
測定された無線フレーム同期オフセット
δ１
とに基づいて決定する。
【０１６０】
無線フレーム同期が明示的にシグナリングされる必要がある場合、所与のセルにつき、ｅＮＢは、構成オフセット
δ
に加えて無線フレーム同期オフセット
δ１
または全体のオフセット
δ２
をシグナリングする。
【０１６１】
図１２は、無線フレーム同期オフセットおよびＦＤＤセルに対するＴＤＤ構成オフセットの例を示す。図１２には、ＴＤＤセルをＰＣｅｌｌとし、ＦＤＤセルをＳＣｅｌｌとしたＴＤＤ‐ＦＤＤ  ＣＡが示される。無線フレーム同期オフセットは、
δ１＝２
であり、ＦＤＤセルに対するＴＤＤ構成のオフセットは、
δ＝−１
である。全体のオフセットは、
δ２＝δ１＋δ＝１
である。
【０１６２】
ＰＣｅｌｌまたは報告セルがＦＤＤセルであり、ＴＤＤセルがＴＤＤ自体のタイミングにしたがう場合、無線フレーム同期オフセット
δ１
を用いて、ＴＤＤサブフレームインデックスが同期されなければならない。オフセット値
δ１
は、サブフレームインデックス同期のためにＳＣｅｌｌでシフトされるべきＴＴＩまたはサブフレームの数を示す数とすることができる。無線フレーム同期オフセット
δ１
は、ｅＮＢおよびＵＥにより同期信号に基づいて自動的に導出され、または無線フレーム同期オフセットは、ｅＮＢによってＵＥにシグナリングされる。ＴＤＤ  ＵＬ／ＤＬ構成により構成されたＴＤＤセルでは、サブフレームｎのダウンリンクアソシエーションセットおよびＨＡＲＱ‐ＡＣＫは、上表（３）に基づいて決定される一方、ＦＤＤセルに対応するサブフレームインデックスは、サブフレームｎをサブフレーム
（ｎ＋δ１）
で置き換えることにより決定される。換言すれば、サービングセルｃのサブフレームインデックスは、サブフレームｎをｎｃで置き換えることにより決定される。
【０１６３】
図１３は、ＴＤＤセルの無線フレーム同期オフセットの例を示す。図１３には、ＦＤＤセルをＰＣｅｌｌとし、ＴＤＤセルをＳＣｅｌｌとしたＴＤＤ‐ＦＤＤ  ＣＡが示される。無線フレーム同期オフセットは、
δ１＝２
とすることができる。したがって、ＴＤＤセルにおけるＨＡＲＱ‐ＡＣＫ報告は、ＴＤＤインデックスのＵＬサブフレーム２、３、７および８にある。オフセット値により、対応するＨＡＲＱ‐ＡＣＫ報告は、ＦＤＤセルＰＵＣＣＨ報告のＵＬサブフレーム４、５、９および０になければならない。
【０１６４】
図１４は、ＵＥ１２０２において利用されうる様々な構成要素を示す。図１４と関連して説明されるＵＥ１２０２は、図１と関連して説明されるＵＥ１０２にしたがって実装される。ＵＥ１２０２は、ＵＥ１２０２の動作を制御するプロセッサ１２５５を含む。プロセッサ１２５５は、中央演算処理装置（ＣＰＵ；ｃｅｎｔｒａｌ  ｐｒｏｃｅｓｓｉｎｇ  ｕｎｉｔ）とも呼称される。メモリ１２６１は、読取り専用メモリ（ＲＯＭ；ｒｅａｄ−ｏｎｌｙ  ｍｅｍｏｒｙ）、ランダムアクセスメモリ（ＲＡＭ；ｒａｎｄｏｍ  ａｃｃｅｓｓ  ｍｅｍｏｒｙ）、ＲＯＭとＲＡＭの組み合せまたは情報を記憶できる任意の種類のデバイスを含み、プロセッサ１２５５に命令１２５７ａおよびデータ１２５９ａを提供する。メモリ１２６１の一部は、不揮発性ランダムアクセスメモリ（ＮＶＲＡＭ；ｎｏｎ−ｖｏｌａｔｉｌｅ  ｒａｎｄｏｍ  ａｃｃｅｓｓ  ｍｅｍｏｒｙ）も含む。命令１２５７ｂおよびデータ１２５９ｂも、プロセッサ１２５５内にある。プロセッサ１２５５にロードされた命令１２５７ｂおよび／またはデータ１２５９ｂは、プロセッサ１２５５による実行または処理のためにロードされたメモリ１２６１からの命令１２５７ａおよび／またはデータ１２５９ａも含む。上述の方法２００の一つ以上を実装するために、プロセッサ１２５５により命令１２５７ｂが実行される。
【０１６５】
ＵＥ１２０２は、データの伝送および受信を可能にするために一つ以上の伝送器１２５８と一つ以上の受信器１２２０とを含むハウジングも含む。伝送器（単数または複数）１２５８および受信器（単数または複数）１２２０は、一つ以上のトランシーバ１２１８に組み合わせられる。一つ以上のアンテナ１２２２ａ〜ｎがハウジングに取り付けられ、トランシーバ１２１８に電気的に結合される。
【０１６６】
ＵＥ１２０２の様々な構成要素が、バスシステム１２６３により一緒に結合され、バスシステム１２６３はデータバスに加えて、パワーバス、制御信号バスおよびステータス信号バスを含む。しかし、明確のため、図１４においては様々なバスがバスシステム１２６３として示される。ＵＥ１２０２は、信号処理に用いられるデジタル信号プロセッサ（ＤＳＰ；ｄｉｇｉｔａｌ  ｓｉｇｎａｌ  ｐｒｏｃｅｓｓｏｒ）１２６５も含む。ＵＥ１２０２は、ＵＥ１２０２の機能に対するユーザアクセスを提供する通信インタフェース１２６７も含む。図１４に示したＵＥ１２０２は、特定の構成要素のリストではなく機能ブロックダイヤグラムである。
【０１６７】
図１５は、ｅＮＢ１３６０において利用される様々な構成要素を示す。図１５と関連して記載されるｅＮＢ１３６０は、図１と関連して記載されるｅＮＢ１６０にしたがって実装される。ｅＮＢ１３６０は、ｅＮＢ１３６０の動作を制御するプロセッサ１３５５を含む。プロセッサ１３５５は、中央演算処理装置（ＣＰＵ）とも呼称される。メモリ１３６１は、読取り専用メモリ（ＲＯＭ）、ランダムアクセスメモリ（ＲＡＭ）、ＲＯＭとＲＡＭの組み合せまたは情報を記憶できる任意の種類のデバイスを含み、プロセッサ１３５５に命令１３５７ａおよびデータ１３５９ａを提供する。メモリ１３６１の一部は、不揮発性ランダムアクセスメモリ（ＮＶＲＡＭ）も含む。命令１３５７ｂおよびデータ１３５９ｂも、プロセッサ１３５５内にある。プロセッサ１３５５にロードされた命令１３５７ｂおよび／またはデータ１３５９ｂは、プロセッサ１３５５による実行または処理のためにロードされたメモリ１３６１からの命令１３５７ａおよび／またはデータ１３５９ａも含む。上述の方法３００の一つ以上を実装するために、プロセッサ１３５５により命令１３５７ｂが実行される。
【０１６８】
ｅＮＢ１３６０は、データの伝送および受信を可能にするために一つ以上の伝送器１３１７と一つ以上の受信器１３７８とを含むハウジングも含む。伝送器（単数または複数）１３１７および受信器（単数または複数）１３７８は、一つ以上のトランシーバ１３７６に組み合わせられる。一つ以上のアンテナ１３８０ａ〜ｎがハウジングに取り付けられ、トランシーバ１３７６に電気的に結合される。
【０１６９】
ｅＮＢ１３６０の様々な構成要素が、バスシステム１３６３により一緒に結合され、バスシステム１３６３はデータバスに加えて、パワーバス、制御信号バスおよびステータス信号バスを含む。しかし、明確のため、図１５においては様々なバスがバスシステム１３６３として示される。ｅＮＢ１３６０は、信号処理に用いられるデジタル信号プロセッサ（ＤＳＰ）１３６５も含む。ｅＮＢ１３６０は、ｅＮＢ１３６０の機能に対するユーザアクセスを提供する通信インタフェース１３６７も含む。図１５に示したｅＮＢ１３６０は、特定の構成要素のリストではなく機能ブロックダイヤグラムである。
【０１７０】
図１６は、キャリアアグリゲーションを実行するためのシステムおよび方法が実装されるＵＥ１４０２の一実装を示したブロックダイヤグラムである。ＵＥ１４０２は、伝送手段１４５８と、受信手段１４２０と、制御手段１４２４とを含む。伝送手段１４５８、受信手段１４２０、および制御手段１４２４は、上の図２と関連して記載された機能の一つ以上を実行するように構成される。上の図１６は、図１６の具体的な装置構造の一例を示す。図２の機能の一つ以上を実現するために、その他の様々な構造が実装される。例えば、ＤＳＰはソフトウェアにより実現される。
【０１７１】
図１７は、キャリアアグリゲーションを実行するためのシステムおよび方法が実装されるｅＮＢ１５６０の一実装を示したブロックダイヤグラムである。ｅＮＢ１５６０は、伝送手段１５１７と、受信手段１５７８と、制御手段１５８２とを含む。伝送手段１５１７、受信手段１５７８、および制御手段１５８２は、上の図２と関連して記載された機能の一つ以上を実行するように構成される。上の図１７は、図１５の具体的な装置構造の一例を示す。図２の機能の一つ以上を実現するために、その他の様々な構造が実装される。例えば、ＤＳＰはソフトウェアにより実現される。
【０１７２】
「コンピュータ可読媒体」という用語は、コンピュータまたはプロセッサがアクセスできる任意の利用可能な媒体をいう。本明細書で用いられるところの「コンピュータ可読媒体」という用語は、非一時的で有形のコンピュータおよび／またはプロセッサ可読媒体を示す。限定ではなく例として、コンピュータ可読またはプロセッサ可読媒体には、ＲＡＭ、ＲＯＭ、ＥＥＰＲＯＭ（登録商標）、ＣＤ‐ＲＯＭもしくは他の光学ディスク記憶装置、磁気ディスク記憶装置もしくは他の磁気記憶デバイス、または命令もしくはデータ構造の形で所望のプログラムコードを搬送もしくは記憶するために使用でき、コンピュータまたはプロセッサによりアクセスできる他の任意の媒体を含む。本明細書で用いられるところのディスク（ｄｉｓｋ）およびディスク（ｄｉｓｃ）には、コンパクトディスク（ＣＤ；ｃｏｍｐａｃｔ  ｄｉｓｃ）、レーザディスク、光ディスク、デジタル多用途ディスク（ＤＶＤ；ｄｉｇｉｔａｌ  ｖｅｒｓａｔｉｌｅ  ｄｉｓｃ）、フロッピー（登録商標）ディスクおよびブルーレイ（登録商標）ディスクを含み、ディスク（ｄｉｓｋ）は通常磁気によってデータを再現し、ディスク（ｄｉｓｃ）がレーザで光学的にデータを再現する。
【０１７３】
本明細書に記載される方法の一つ以上は、ハードウェアを使用して実装および／または実施されることに注意しなければならない。例えば、本明細書に記載される方法の一つ以上は、チップセット、特定用途向け集積回路（ＡＳＩＣ）、大規模集積回路（ＬＳＩ）または集積回路等を使用して中で実装および／または実現される。
【０１７４】
本明細書に開示される方法の各々には、記載された方法を達成するための一つ以上のステップまたはアクションが含まれる。方法ステップおよび／またはアクションは、請求の範囲を逸脱することなく相互に交換され、および／または一つのステップに組み合わされてよい。換言すれば、記載されている方法の適切な動作のためにステップまたはアクションの特定の順序が必要とされない限り、特定のステップおよび／またはアクションの順序および／または使用は、請求の範囲を逸脱することなく修正されてよい。
【０１７５】
特許請求の範囲は、上述の正確な構成および構成要素に限定されないことを理解されたい。請求の範囲を逸脱することなく、本明細書に記載のシステム、方法および装置の設定、動作および詳細につき様々な修正、変更および変形がなされてよい。
【図１】
2016532328.tif 000023
【図２】
2016532328.tif 000024
【図３】
2016532328.tif 000025
【図４】
2016532328.tif 000026
【図５】
2016532328.tif 000027
【図６】
2016532328.tif 000028
【図７】
2016532328.tif 000029
【図８】
2016532328.tif 000030
【図９】
2016532328.tif 000031
【図１０】
2016532328.tif 000032
【図１１】
2016532328.tif 000033
【図１２】
2016532328.tif 000034
【図１３】
2016532328.tif 000035
【図１４】
2016532328.tif 000036
【図１５】
2016532328.tif 000037
【図１６】
2016532328.tif 000038
【図１７】
2016532328.tif 000039
【国際調査報告】
2016532328.tif 000040
2016532328.tif 000041